(57)【要約】本発明は、進化型マルチメディアブロードキャスト／マルチキャストサービス（eMBMS）処理ネットワーク要素及び進化型マルチメディアブロードキャスト／マルチキャストサービスブロードキャスト方法を開示する。eMBMS処理ネットワーク要素は第１のトランシーバ及び第１のプロセッサを備える。第１のトランシーバは、アプリケーションサーバからeMBMSベアラ申請要求を受信する。eMBMSベアラ申請要求はブロードキャストエリアを含む。第１のトランシーバは、ブロードキャストエリアを構成サービスセンターに送信し、構成サービスセンターによりブロードキャストエリアに従って返されたブロードキャスト／マルチキャストサービスエリア（MBMS  SA）構成情報を受信する。第１のプロセッサは、MBMS  SA構成情報に従って前記ブロードキャストエリアのeMBMSセッションリソースを確立する。上述の方式では、本発明は、eMBMSブロードキャスト機構の下ではブロードキャストエリアを動的に生成することができないという問題を解決することができる。
2017531385.tif 000002
【特許請求の範囲】
【請求項１】
進化型マルチメディアブロードキャスト／マルチキャストサービス（eMBMS）処理ネットワーク要素であって、第１のトランシーバ及び第１のプロセッサを備え、
前記第１のトランシーバは、アプリケーションサーバからeMBMSベアラ申請要求を受信し、前記eMBMSベアラ申請要求はブロードキャストエリアを含み、
前記第１のトランシーバは、前記ブロードキャストエリアを構成サービスセンターに送信し、前記構成サービスセンターにより前記ブロードキャストエリアに従って返されたブロードキャスト／マルチキャストサービスエリア（MBMS  SA）構成情報を受信し、
前記第１のプロセッサは、前記MBMS  SA構成情報に従って、前記ブロードキャストエリアのeMBMSセッションリソースを確立する、
処理ネットワーク要素。
【請求項２】
前記第１のトランシーバは、オープンプラットフォームを用いて、前記アプリケーションサーバから前記eMBMSベアラ申請要求を受信する、
請求項１に記載の処理ネットワーク要素。
【請求項３】
前記第１のプロセッサが、前記MBMS  SA構成情報に従って、前記ブロードキャストエリアのeMBMSセッションリソースを確立することは、
前記第１の処理ユニットが、前記MBMS  SA構成情報に従ってセッション開始手順を開始し、前記セッション開始手順に従って、前記ブロードキャストエリアの前記eMBMSセッションリソースを確立すること、
を含む、請求項１に記載の処理ネットワーク要素。
【請求項４】
前記第１のトランシーバが前記アプリケーションサーバから前記eMBMSベアラ申請要求を受信する前に、
前記第１のトランシーバは更に、前記アプリケーションサーバからeMBMSベアラ機能クエリを受信し、前記eMBMSベアラ機能クエリは、ブロードキャストエリアと、eMBMSベアラのサービス品質（QoS）情報とを含み、
前記第１のプロセッサは、前記ブロードキャストエリアに従ってマルチセル／マルチキャスト協調エンティティ（MCE）情報を取得し、
前記第１のトランシーバは、前記MCE情報に対応するMCEにeMBMSベアラ機能クエリ要求を送信し、
前記第１のトランシーバは、前記MCEからeMBMSベアラ機能クエリ応答を受信し、前記応答は、アクセスネットワークが前記eMBMSベアラによって必要とされるQoSを割り当てることができるか否かを前記MCEが決定した結果を含む、
請求項１に記載の処理ネットワーク要素。
【請求項５】
前記eMBMSベアラ申請要求は更に、eMBMSのQoS情報を含み、前記第１のトランシーバが前記アプリケーションサーバから前記eMBMSベアラ申請要求を受信した後に、
前記第１のプロセッサは、前記ブロードキャストエリアに従ってMCE情報を取得し、
前記第１のトランシーバは、前記MCE情報に対応するMCEにeMBMSベアラ機能クエリ要求を送信し、
前記第１のトランシーバは、前記MCEから前記eMBMSベアラ機能クエリ応答を取得し、前記eMBMSベアラ機能クエリ応答は、アクセスネットワークがeMBMSベアラによって必要とされるQoSを割り当てることができるか否かを前記MCEが決定した結果を含む、
請求項１に記載の処理ネットワーク要素。
【請求項６】
前記第１のプロセッサが前記ブロードキャストエリアに従ってMCE情報を取得することは、
前記第１のトランシーバが、前記構成サービスセンターにMCEクエリ要求を送信するステップであって、それにより前記構成サービスセンターは、前記MCEクエリ要求に従ってMCEクエリ応答を生成することができる、ステップと、
前記第１のトランシーバが、前記構成サービスセンターから前記MECクエリ応答を取得するステップであって、前記MCEクエリ応答は前記MCE情報を含む、ステップと、
を含む、請求項４又は５に記載の処理ネットワーク要素。
【請求項７】
前記eMBMSベアラ機能クエリ応答が、前記アプリケーションサーバによって要求されたeMBMSベアラ機能が割り当てられないという結果を含む場合、前記第１のトランシーバは、前記アプリケーションサーバにeMBMSベアラ申請失敗情報を送信する、
請求項４又は５に記載の処理ネットワーク要素。
【請求項８】
前記構成サービスセンターは、構成サーバ又はオペレーション・サポート・システム（OSS）である、
請求項１乃至７のいずれか一項に記載の処理ネットワーク要素。
【請求項９】
eMBMSブロードキャスト方法であって、
第１の処理ネットワーク要素が、アプリケーションサーバからeMBMSベアラ申請要求を受信するステップであって、前記eMBMSベアラ申請要求はブロードキャストエリアを含む、ステップと、
前記ブロードキャストエリアを構成サービスセンターに送信するステップと、
前記構成サービスセンターにより前記ブロードキャストエリアに従って返されたMBMS  SA構成情報を受信するステップと、
前記MBMS  SA構成情報に従って、前記ブロードキャストエリアのeMBMSセッションリソースを確立するステップと、
を含む方法。
【請求項１０】
アプリケーションサーバからeMBMSベアラ申請要求を取得する前記ステップは、
前記アプリケーションサーバから、オープンプラットフォームを用いて、前記eMBMSベアラ申請要求を受信するステップ、
を含む、請求項９に記載の方法。
【請求項１１】
前記MBMS  SA構成情報に従って、前記ブロードキャストエリアのeMBMSセッションリソースを確立する前記ステップは、
前記MBMS  SA構成情報に従ってセッション開始手順を開始し、前記セッション開始手順に従って、前記ブロードキャストエリアの前記eMBMSセッションリソースを確立するステップ、
を含む、請求項９に記載の方法。
【請求項１２】
第１の処理ネットワーク要素がアプリケーションサーバからeMBMSベアラ申請要求を受信する前記ステップの前に、
前記アプリケーションサーバからeMBMSベアラ機能クエリを受信するステップであって、前記eMBMSベアラ機能クエリは、ブロードキャストエリアと、eMBMSベアラのサービス品質（QoS）情報とを含む、ステップと、
前記ブロードキャストエリアに従ってMCE情報を取得するステップと、
前記MCE情報に対応するMCEにeMBMSベアラ機能クエリ要求を送信するステップと、
前記MCEによって返されたeMBMSベアラ機能クエリ応答を受信するステップであって、前記応答は、アクセスネットワークが前記eMBMSベアラのサービス品質（QoS）を割り当てることができるか否かを前記MCEが決定した結果を含む、ステップと、
を更に含む、請求項９に記載の方法。
【請求項１３】
前記eMBMSベアラ申請要求は更に、eMBMSベアラのサービス品質（QoS）情報を含み、
第１の処理ネットワーク要素がアプリケーションサーバからeMBMSベアラ申請要求を受信する前記ステップの後に、
前記ブロードキャストエリアに従ってMCE情報を取得するステップと、
前記MCE情報に対応するMCEにeMBMSベアラ機能クエリ要求を送信するステップと、
前記MCEからeMBMSベアラ機能クエリ応答を取得するステップであって、前記eMBMSベアラ機能クエリ応答は、アクセスネットワークが前記eMBMSベアラのサービス品質（QoS）を割り当てることができるか否かを前記MCEが決定した結果を含む、ステップと、
を更に含む、請求項９に記載の方法。
【請求項１４】
前記ブロードキャストエリアに従ってMCE情報を取得する前記ステップは、
前記構成サービスセンターにMCEクエリ要求を送信するステップであって、それにより前記構成サービスセンターは、前記MCEクエリ要求に従ってMCEクエリ応答を生成することができる、ステップと、
前記構成サービスセンターから前記MECクエリ応答を取得するステップであって、前記MCEクエリ応答は前記MCE情報を含む、ステップと、
を含む、請求項１２又は１３に記載の方法。
【請求項１５】
前記eMBMSベアラ機能クエリ応答が、前記アプリケーションサーバによって要求されたeMBMSベアラ機能が割り当てられないという結果を含む場合、前記アプリケーションサーバにeMBMSベアラ申請失敗情報が送信される、
請求項１２又は１３に記載の方法。
【請求項１６】
前記構成サービスセンターは構成サーバ又はOSSである、
請求項１０乃至１５のいずれか一項に記載の方法。
【請求項１７】
第２のトランシーバ及び第２のプロセッサを備えるeMBMS処理ネットワーク要素であって、
前記第２のトランシーバは、ブロードキャスト／マルチキャストサービスセンター（BM-SC）によって送信されたeMBMSベアラ申請要求のブロードキャストエリアを受信し、
前記第２のプロセッサは、前記ブロードキャストエリアに従ってMBMS  SA構成情報を取得し、
前記第２のトランシーバは、前記MBMS  SA構成情報を前記BM-SCに送信し、前記MBMS  SA構成情報は、前記ブロードキャストエリアのeMBMSセッションリソースの確立に用いられる、
eMBMS処理ネットワーク要素。
【請求項１８】
前記第２のプロセッサが前記ブロードキャストエリアに従ってMBMS  SA構成情報を取得することは、
前記第２のプロセッサが、前記ブロードキャストエリアをCell  List情報に変換することと、
前記第２のプロセッサが、前記Cell  List情報に従ってMBMS  SA構成情報テーブルにクエリを行うことにより、前記MBMS  SA構成情報を取得すること、又は、前記第２のプロセッサが、前記Cell  List情報に従って前記MBMS  SA構成情報を生成することと、
を含む、請求項１７に記載の処理ネットワーク要素。
【請求項１９】
前記第２のプロセッサが、前記Cell  List情報に従ってMBMS  SA構成情報テーブルにクエリを行うことにより、前記MBMS  SA構成情報を取得することは、
前記第２のプロセッサが、前記Cell  List情報に対応する前記MBMS  SA構成情報テーブルがあるか否かを決定することであって、前記MBMS  SA構成情報テーブルは前記MBMS  SA構成情報を含み、前記MBMS  SA構成情報は、SAI情報、及び、制御プレーンネットワーク要素List情報とMCE  ListとMBSFN  Area識別子とCell  Listとのうち少なくとも１つのタイプの情報を含み、前記制御プレーンネットワーク要素List情報はMME  List情報又はSGSN  List情報を含むことと、
前記Cell  List情報に対応する前記MBMS  SA構成情報テーブルがある場合、前記第２のプロセッサが、前記MBMS  SA構成情報テーブルから前記MBMS  SA構成情報を取得することと、
を含む、請求項１８に記載の処理ネットワーク要素。
【請求項２０】
前記第２のプロセッサが前記Cell  List情報に従って前記MBMS  SA構成情報を生成することは、
前記第２のプロセッサが、SAI情報を生成することと、
前記第２のプロセッサが、前記Cell  List情報に従ってCell情報テーブルにクエリを行って、対応する制御プレーンネットワーク要素List情報と対応するMCE  List情報とのうち少なくとも１つのタイプの情報を取得することと、
前記第２のプロセッサが、前記MBMS  SA構成情報テーブルを生成することであって、前記MBMS  SA構成情報テーブルは前記MBMS  SA構成情報を含み、前記MBMS  SA構成情報は、生成された前記SAI情報と、前記クエリから取得された前記制御プレーンネットワーク要素List情報とMCE  ListとCell  Listとのうち少なくとも１つのタイプの情報とを含み、前記制御プレーンネットワーク要素List情報はMME  List情報又はSGSN  List情報を含むことと、
前記第２のプロセッサが、前記MBMS  SA構成情報テーブルから前記MBMS  SA構成情報を取得することと、
を含む、請求項１８に記載の処理ネットワーク要素。
【請求項２１】
前記第２のプロセッサは、前記MBMS  SA構成情報テーブルからMCE構成情報を取得するか、又は前記ブロードキャストエリアに従って前記MCE構成情報を生成し、前記MCE構成情報は、生成された前記SAI情報と前記MCE  List情報とを含み、
前記第２のトランシーバは、前記MCE構成情報を制御プレーンネットワーク要素に送信する、
請求項２０に記載の処理ネットワーク要素。
【請求項２２】
前記第２のプロセッサは、前記MBMS  SA構成情報テーブルからMBSFN  Area構成情報を取得するか、又は前記ブロードキャストエリアに従って前記MBSFN  Area構成情報を生成し、前記MBSFN  Area構成情報は、前記SAI情報、前記MBSFN  Area識別子及び前記Cell  Listを含み、
前記第２のトランシーバは、前記MBSFN  Area構成情報をMCEに送信する、
請求項２０又は２１に記載の処理ネットワーク要素。
【請求項２３】
前記第２のプロセッサは、前記MBMS  SA構成情報テーブルからCell構成情報を取得するか、又は前記ブロードキャストエリアに従って前記Cell構成情報を生成し、前記Cell構成情報はCell  ID及び前記SAI情報を含み、
前記第２のトランシーバは、前記Cell構成情報を基地局に送信する、
請求項２０乃至２２のいずれか一項に記載の処理ネットワーク要素。
【請求項２４】
前記第２のトランシーバが前記ブロードキャスト／マルチキャストサービスセンター（BM-SC）によって送信されたeMBMSベアラ申請要求のブロードキャストエリアを受信する前に、
前記第２のトランシーバは、オープンプラットフォーム又は前記BM-SCからMCEクエリ要求を取得し、前記MCEクエリ要求はブロードキャストエリアを含み、
前記第２のプロセッサは、前記クエリ要求の前記ブロードキャストエリアに従ってMCEクエリ応答を生成し、前記MCEクエリ応答はMCE情報を含み、
前記第２のトランシーバは、前記オープンプラットフォーム又は前記BM-SCに前記MCEクエリ応答を送信し、それにより前記オープンプラットフォーム又は前記BM-SCは、前記MCEにeMBMSベアラ機能クエリ要求を送信し、前記MCEからeMBMSベアラ機能クエリ応答を取得することができ、前記eMBMSベアラ機能クエリ応答は、アクセスネットワークがeMBMSベアラによって必要とされるQoSを割り当てることができるか否かを前記MCEが決定した結果を含む、
請求項１７に記載の処理ネットワーク要素。
【請求項２５】
前記第２のトランシーバが前記ブロードキャスト／マルチキャストサービスセンター（BM-SC）によって送信されたeMBMSベアラ申請要求のブロードキャストエリアを受信した後、
前記第２のトランシーバは、オープンプラットフォーム又は前記BM-SCからMCEクエリ要求を取得し、前記MCEクエリ要求は前記ブロードキャストエリアを含み、
前記第２のプロセッサは、前記クエリ要求の前記ブロードキャストエリアに従ってMCEクエリ応答を生成し、前記MCEクエリ応答はMCE情報を含み、
前記第２のトランシーバは、前記MCE情報を前記オープンプラットフォーム又は前記BM-SCに送信し、それにより前記オープンプラットフォーム又は前記BM-SCは、前記MCEにeMBMSベアラ機能クエリ要求を送信し、前記MCEからeMBMSベアラ機能クエリ応答を取得することができ、前記eMBMSベアラ機能クエリ応答は、アクセスネットワークがeMBMSベアラによって必要とされるQoSを割り当てることができるか否かを前記MCEが決定した結果を含む、
請求項１７に記載の処理ネットワーク要素。
【請求項２６】
前記構成サービスセンターは構成サーバ又はOSSであり、前記制御プレーンネットワーク要素は、モビリティ管理エンティティ（MME）又はサービング汎用パケット無線サービスサポートノード（SGSN）である、
請求項１７乃至２５のいずれか一項に記載の処理ネットワーク要素。
【請求項２７】
eMBMSブロードキャスト方法であって、
BM-SCによって送信されたeMBMSベアラ申請要求のブロードキャストエリアを受信するステップと、
前記ブロードキャストエリアに従ってMBMS  SA構成情報を取得するステップと、
前記MBMS  SA構成情報を前記BM-SCに送信するステップであって、前記MBMS  SA構成情報は、前記ブロードキャストエリアのeMBMSセッションリソースの確立に用いられる、ステップと、
を含む方法。
【請求項２８】
前記ブロードキャストエリアに従ってMBMS  SA構成情報を取得する前記ステップは、
前記ブロードキャストエリアをCell  List情報に変換するステップと、
前記Cell  List情報に従ってMBMS  SA構成情報テーブルにクエリを行うことにより、前記MBMS  SA構成情報を取得するステップか、又は前記Cell  List情報に従って前記MBMS  SA構成情報を生成するステップと、
を含む、請求項２７に記載の方法。
【請求項２９】
前記Cell  List情報に従ってMBMS  SA構成情報テーブルにクエリを行うことにより、前記MBMS  SA構成情報を取得する前記ステップは、
前記Cell  List情報に対応する前記MBMS  SA構成情報テーブルがあるか否かを決定するステップと、
前記Cell  List情報に対応する前記MBMS  SA構成情報テーブルがある場合、前記MBMS  SA構成情報テーブルが前記Cell  List情報と対応していると決定するステップであって、前記MBMS  SA構成情報テーブルは前記MBMS  SA構成情報を含み、前記MBMS  SA構成情報は、SAI情報、及び、制御プレーンネットワーク要素List情報とMCE  ListとMBSFN  Area識別子とCell  Listとのうち少なくとも１つのタイプの情報を含み、前記制御プレーンネットワーク要素List情報はMME  List情報又はSGSN  List情報を含む、ステップと、
前記MBMS  SA構成情報テーブルから前記MBMS  SA構成情報を取得するステップと、
を含む、請求項２８に記載の方法。
【請求項３０】
前記Cell  List情報に従って前記MBMS  SA構成情報を生成する前記ステップは、
SAI情報を生成するステップと、
前記Cell  List情報に従ってCell情報テーブルにクエリを行い、対応する制御プレーンネットワーク要素List情報とMCE  List情報とのうち少なくとも１つのタイプの情報を取得するステップと、
MBMS  SA構成情報テーブルを生成するステップであって、前記MBMS  SA構成情報テーブルは、生成された前記SAI情報と、前記クエリから取得された前記制御プレーンネットワーク要素List情報とMCE  ListとCell  Listとのうち少なくとも１つのタイプの情報とを含む、ステップと、
前記MBMS  SA構成情報テーブルから前記MBMS  SA構成情報を取得するステップであって、前記制御プレーンネットワーク要素List情報はMME  List情報又はSGSN  List情報を含む、ステップと、
を含む、請求項２８に記載の方法。
【請求項３１】
前記MBMS  SA構成情報テーブルからMCE構成情報を取得するステップ、又は、前記ブロードキャストエリアに従って前記MCE構成情報を生成するステップであって、前記MCE構成情報は前記SAI情報及び前記MCE  List情報を含む、ステップと、
前記MCE構成情報を制御プレーンネットワーク要素に送信するステップと、
を更に含む、請求項３０に記載の方法。
【請求項３２】
前記MBMS  SA構成情報テーブルからMBSFN  Area構成情報を取得するステップ、又は、前記ブロードキャストエリアに従って前記MBSFN  Area構成情報を生成するステップであって、前記MBSFN  Area構成情報は、前記SAI情報、前記MBSFN  Area識別子及び前記Cell  Listを含む、ステップと、
前記MBSFN  Area構成情報をMCEに送信するステップと、
を更に含む、請求項３０又は３１に記載の方法。
【請求項３３】
前記MBMS  SA構成情報テーブルからCell構成情報を取得するか、又は、前記ブロードキャストエリアに従って前記Cell構成情報を生成するステップであって、前記Cell構成情報はCell  ID及び前記SAI情報を含む、ステップと、
前記Cell構成情報を基地局に送信するステップと、
を更に含む、請求項３０乃至３２のいずれか一項に記載の方法。
【請求項３４】
前記BM-SCからeMBMSベアラ申請要求のブロードキャストエリアが取得される前に、
オープンプラットフォーム又は前記BM-SCからMCEクエリ要求を取得するステップであって、前記MCEクエリ要求はブロードキャストエリアを含む、ステップと、
前記クエリ要求の前記ブロードキャストエリアに従ってMCEクエリ応答を生成するステップであって、前記MCEクエリ応答はMCE情報を含む、ステップと、
前記MCEクエリ応答を前記オープンプラットフォーム又は前記BM-SCに送信するステップであって、それにより前記オープンプラットフォーム又は前記BM-SCは、前記MCEにeMBMSベアラ機能クエリ要求を送信し、前記MCEからeMBMSベアラ機能クエリ応答を取得することができ、前記eMBMSベアラ機能クエリ応答は、アクセスネットワークがeMBMSベアラによって必要とされるQoSを割り当てることができるか否かを前記MCEが決定した結果を含む、ステップと、
を更に含む、請求項２７に記載の方法。
【請求項３５】
前記BM-SCからeMBMSベアラ申請要求のブロードキャストエリアが取得された後に、
オープンプラットフォーム又は前記BM-SCからMCEクエリ要求を取得するステップであって、前記MCEクエリ要求は前記ブロードキャストエリアを含む、ステップと、
前記クエリ要求の前記ブロードキャストエリアに従ってMCEクエリ応答を生成するステップであって、前記MCEクエリ応答はMCE情報を含む、ステップと、
前記MCE情報を前記オープンプラットフォーム又は前記BM-SCに送信するステップであって、それにより前記オープンプラットフォーム又は前記BM-SCは、前記MCEにeMBMSベアラ機能クエリ要求を送信し、前記MCEからeMBMSベアラ機能クエリ応答を取得することができ、前記eMBMSベアラ機能クエリ応答は、アクセスネットワークがeMBMSベアラによって必要とされるQoSを割り当てることができるか否かを前記MCEが決定した結果を含む、ステップと、
を更に含む、請求項２７に記載の方法。
【請求項３６】
前記構成サービスセンターは構成サーバ又はOSSであり、前記制御プレーンネットワーク要素はMME又はSGSNである、
請求項２７乃至３５のいずれか一項に記載の方法。
【請求項３７】
第１のeMBMS処理ネットワーク要素、第２のeMBMS処理ネットワーク要素及びアプリケーションサーバを備える通信システムであって、
前記第１のeMBMS処理ネットワーク要素は、請求項１乃至８のいずれか一項に記載のeMBMS処理ネットワーク要素であり、前記第２のeMBMS処理ネットワーク要素は、請求項１７乃至２６のいずれか一項に記載のeMBMS処理ネットワーク要素である、
通信システム。
【発明の詳細な説明】
【技術分野】
【０００１】
本発明は通信技術分野に関し、特に、進化型マルチメディアブロードキャスト／マルチキャストサービス処理ネットワーク要素及び進化型マルチメディアブロードキャスト／マルチキャストサービスブロードキャスト方法に関する。
【背景技術】
【０００２】
図１に示されるように、既存の第３世代（The  3rd  Generation  Partnership  Project，3GPP）の進化型マルチメディアブロードキャスト／マルチキャストサービス（Evolved  Multimedia  Broadcast／Multicast  Service，eMBMS）システムアーキテクチャ10は、ブロードキャスト／マルチキャストサービスセンター（Broadcast／Multicast  Service  Center，BM-SC）101、ブロードキャスト／マルチキャストサービスゲートウェイ（Multimedia  Broadcast／Multicast  Service  Gateway，MBMS  GW）102、モビリティ管理エンティティ（Mobility  Management  Entity，MME）103、サービング汎用パケット無線サービスサポートノード（Serving  GPRS  Supporting  Node，SGSN）104、マルチセル／マルチキャスト協調エンティティ（Multi-cell／Multicast  Coordination  Entity，MCE）105、アクセスネットワーク106及びアプリケーションサーバ（Application  Server）107を含む。BM-SC101は、MBMSユーザサービスを提供し、MBMSユーザサービスの伝送を管理するように構成される。MBMS  GW102は、BM-SC101とMME103との間、又はBM-SC101とSGSN104との間でシグナリングを転送するように構成される。MME103又はSGSN104は、MBMSベアラサービスのセッション制御シグナリングを受信し、それをアクセスネットワーク106に送信して、アクセスネットワーク106のマルチメディアブロードキャストマルチキャストサービス単一周波数ネットワーク（Multimedia  Broadcast  multicast  service  Single  Frequency  Network，MBSFN）無線リソースを割り当てる。アクセスネットワーク106は、進化型ユニバーサル地上無線アクセスネットワーク（Evolved  Universal  Terrestrial  Radio  Access  Network，E-UTRAN）及び進化型ユニバーサル地上無線アクセスネットワーク（Universal  Terrestrial  Radio  Access  Network，UTRAN）を含む。アクセスネットワーク106は、指定されたMBMSサービスエリアにMBMSサービスデータを送信するように構成される。アプリケーションサーバ107は、MBMSサービスのコンテンツを提供するように構成される。
【０００３】
従来技術では、eMBMSシステムアーキテクチャ10によって用いられる構成メカニズムは、ブロードキャストエリアに対応するMBMSサービスエリア（Service  Area，SA）構成情報をBM-SC101において静的に構成することと、MBMS  SAに対応するMCE構成情報をMME103において静的に構成することと、MBMS  SAに対応するMBSFN  Area構成情報をMCE105において静的に構成することと、MBMS  SAに対応するCell構成情報をアクセスネットワーク106において静的に構成することと、を含む。アプリケーションサーバ107の要求は動的要求であり、アプリケーションサーバ107によって要求されるブロードキャスト／マルチキャストエリアに対応するMBMS  SA等の構成情報は、システムアーキテクチャ10において予め静的に生成することができない。したがって、既存のシステムアーキテクチャ10では、eMBMSブロードキャスト機構においてブロードキャストエリアを動的に生成することができない。
【発明の概要】
【０００４】
これに鑑みて、本発明は、eMBMS機能開放機構の下でブロードキャストエリアを動的に生成するために、進化型マルチメディアブロードキャスト／マルチキャストサービス処理ネットワーク要素及び進化型マルチメディアブロードキャスト／マルチキャストサービスブロードキャスト方法を提供する。
【０００５】
第１の態様は、eMBMS処理ネットワーク要素を提供する。本eMBMS処理ネットワーク要素は、第１のトランシーバ及び第１のプロセッサを備える。第１のトランシーバは、アプリケーションサーバからeMBMSベアラ申請要求を受信する。eMBMSベアラ申請要求はブロードキャストエリアを含む。第１のトランシーバは、ブロードキャストエリアを構成サービスセンターに送信し、構成サービスセンターによりブロードキャストエリアに従って返されたブロードキャスト／マルチキャストサービスエリア（MBMS  SA）構成情報を受信する。第１のプロセッサは、MBMS  SA構成情報に従って、ブロードキャストエリアのeMBMSセッションリソースを確立する。
【０００６】
第１の態様の実施方式に関して、第１の可能な実施方式では、第１のトランシーバは、オープンプラットフォームを用いて、アプリケーションサーバからeMBMSベアラ申請要求を受信する。
【０００７】
第１の態様の実施方式に関して、第２の可能な実施方式では、第１のプロセッサが、MBMS  SA構成情報に従って、ブロードキャストエリアのeMBMSセッションリソースを確立することは、第１の処理ユニットが、MBMS  SA構成情報に従ってセッション開始手順を開始し、セッション開始手順に従って、ブロードキャストエリアのeMBMSセッションリソースを確立すること、を含む。
【０００８】
第１の態様の実施方式に関して、第３の可能な実施方式では、第１のトランシーバがアプリケーションサーバからeMBMSベアラ申請要求を受信する前に、第１のトランシーバは更に、アプリケーションサーバからeMBMSベアラ機能クエリを受信する。eMBMSベアラ機能クエリは、ブロードキャストエリアと、eMBMSベアラのサービス品質（QoS）情報とを含む。第１のプロセッサは、ブロードキャストエリアに従ってマルチセル／マルチキャスト協調エンティティ（MCE）情報を取得する。第１のトランシーバは、MCE情報に対応するMCEにeMBMSベアラ機能クエリ要求を送信する。第１のトランシーバは、MCEからeMBMSベアラ機能クエリ応答を受信する。応答は、アクセスネットワークがeMBMSベアラによって要求されたQoSを割り当てることができるか否かをMCEが決定した結果を含む。
【０００９】
第１の態様の実施方式に関して、第４の可能な実施方式では、eMBMSベアラ申請要求は更に、eMBMSのQoS情報を含む。第１のトランシーバがアプリケーションサーバからeMBMSベアラ申請要求を受信した後に、第１のプロセッサは、ブロードキャストエリアに従ってMCE情報を取得する。第１のトランシーバは、MCE情報に対応するMCEにeMBMSベアラ機能クエリ要求を送信する。第１のトランシーバは、MCEからeMBMSベアラ機能クエリ応答を取得する。eMBMSベアラ機能クエリ応答は、アクセスネットワークがeMBMSベアラによって必要とされるQoSを割り当てることができるか否かをMCEが決定した結果を含む。
【００１０】
第１の態様の第３の可能な実施方式又は第４の可能な実施方式に関して、第５の可能な実施方式では、第１のプロセッサがブロードキャストエリアに従ってMCE情報を取得することは、第１のトランシーバが、構成サービスセンターにMCEクエリ要求を送信することであって、それにより構成サービスセンターは、MCEクエリ要求に従ってMCEクエリ応答を生成することができることと、第１のトランシーバが、構成サービスセンターからMECクエリ応答を取得することであって、MCEクエリ応答はMCE情報を含むことと、を含む。
【００１１】
第１の態様の第３の可能な実施方式又は第４の可能な実施方式に関して、第６の可能な実施方式では、eMBMSベアラ機能クエリ応答がアプリケーションサーバによって要求されたeMBMSベアラ機能が割り当てられないという結果を含む場合、第１のトランシーバは、アプリケーションサーバにeMBMSベアラ申請失敗情報を送信する。
【００１２】
第１の態様〜第６の可能な実施方式に関して、第７の可能な実施方式では、構成サービスセンターは、構成サーバ又はオペレーション・サポート・システム（OSS）である。
【００１３】
第２の態様は、eMBMSブロードキャスト方法を提供する。本eMBMSブロードキャスト方法は、アプリケーションサーバからeMBMSベアラ申請要求を受信するステップであって、eMBMSベアラ申請要求はブロードキャストエリアを含む、ステップと、ブロードキャストエリアを構成サービスセンターに送信するステップと、構成サービスセンターによりブロードキャストエリアに従って返されたMBMS  SA構成情報を受信するステップと、MBMS  SA構成情報に従って、ブロードキャストエリアのeMBMSセッションリソースを確立するステップと、を含む。
【００１４】
第２の態様の実施方式に関して、第１の可能な実施方式では、アプリケーションサーバからeMBMSベアラ申請要求を取得するステップは、アプリケーションサーバから、オープンプラットフォームを用いて、eMBMSベアラ申請要求を受信するステップ、を含む。
【００１５】
第２の態様の実施方式に関して、第２の可能な実施方式では、MBMS  SA構成情報に従って、ブロードキャストエリアのeMBMSセッションリソースを確立するステップは、MBMS  SA構成情報に従ってセッション開始手順を開始し、セッション開始手順に従って、ブロードキャストエリアのeMBMSセッションリソースを確立するステップ、を含む。
【００１６】
第２の態様の実施方式に関して、第３の可能な実施方式では、第１の処理ネットワーク要素がアプリケーションサーバからeMBMSベアラ申請要求を受信するステップの前に、本方法は更に、アプリケーションサーバからeMBMSベアラ機能クエリを受信するステップであって、eMBMSベアラ機能クエリはブロードキャストエリアとeMBMSベアラのQoS情報とを含む、ステップと、ブロードキャストエリアに従ってMCE情報を取得するステップと、MCE情報に対応するMCEにeMBMSベアラ機能クエリ要求を送信するステップと、MCEによって返されたeMBMSベアラ機能クエリ応答を受信するステップであって、応答は、アクセスネットワークがeMBMSベアラによって要求されたQoSを割り当てることができるか否かをMCEが決定した結果を含む、ステップと、を含む。
【００１７】
第２の態様の実施方式に関して、第４の可能な実施方式では、eMBMSベアラ申請要求は更に、eMBMSベアラのQoS情報を含む。第１の処理ネットワーク要素がアプリケーションサーバからeMBMSベアラ申請要求を受信するステップの後に、本方法は更に、ブロードキャストエリアに従ってMCE情報を取得するステップと、MCE情報に対応するMCEにeMBMSベアラ機能クエリ要求を送信するステップと、MCEからeMBMSベアラ機能クエリ応答を取得するステップであって、eMBMSベアラ機能クエリ応答は、アクセスネットワークがeMBMSベアラによって要求されたQoSを割り当てることができるか否かをMCEが決定した結果を含む、ステップと、を含む。
【００１８】
第２の態様の第３の可能な実施方式又は第４の可能な実施方式に関して、第５の可能な実施方式では、ブロードキャストエリアに従ってMCE情報を取得するステップは、構成サービスセンターにMCEクエリ要求を送信するステップであって、それにより構成サービスセンターは、MCEクエリ要求に従ってMCEクエリ応答を生成することができる、ステップと、構成サービスセンターからMECクエリ応答を取得するステップであって、MCEクエリ応答はMCE情報を含む、ステップと、を含む。
【００１９】
第２の態様の第３の可能な実施方式又は第４の可能な実施方式に関して、第６の可能な実施方式では、eMBMSベアラ機能クエリ応答がアプリケーションサーバによって要求されたeMBMSベアラ機能が割り当てられないという結果を含む場合、アプリケーションサーバにeMBMSベアラ申請失敗情報が送信される。
【００２０】
第２の態様〜第６の可能な実施方式に関して、第７の可能な実施方式では、構成サービスセンターは構成サーバ又はOSSである。
【００２１】
第３の態様は、eMBMS処理ネットワーク要素を提供する。本eMBMS処理ネットワーク要素は、第２のトランシーバ及び第２のプロセッサを備える。第２のトランシーバは、ブロードキャスト／マルチキャストサービスセンター（BM-SC）によって送信されたeMBMSベアラ申請要求のブロードキャストエリアを受信する。第２のプロセッサは、ブロードキャストエリアに従ってMBMS  SA構成情報を取得する。第２のトランシーバは、MBMS  SA構成情報をBM-SCに送信する。MBMS  SA構成情報は、ブロードキャストエリアのeMBMSセッションリソースの確立に用いられる。
【００２２】
第３の態様の実施方式に関して、第１の可能な実施方式では、第２のプロセッサは、ブロードキャストエリアに従ってMBMS  SA構成情報を取得することは、第２のプロセッサが、ブロードキャストエリアをCell  List情報に変換することと、第２のプロセッサが、Cell  List情報に従ってMBMS  SA構成情報テーブルにクエリを行うことにより、MBMS  SA構成情報を取得すること、又は第２のプロセッサが、Cell  List情報に従ってMBMS  SA構成情報を生成することと、を含む。
【００２３】
第３の態様の第１の可能な実施方式に関して、第２の可能な実施方式では、第２のプロセッサが、Cell  List情報に従ってMBMS  SA構成情報テーブルにクエリを行うことにより、MBMS  SA構成情報を取得することは、第２のプロセッサが、Cell  List情報に対応するMBMS  SA構成情報テーブルがあるか否かを決定することであって、MBMS  SA構成情報テーブルはMBMS  SA構成情報を含み、MBMS  SA構成情報は、SAI情報と、制御プレーンネットワーク要素List情報とMCE  ListとMBSFN  Area識別子とCell  Listとのうち少なくとも１つのタイプの情報とを含み、制御プレーンネットワーク要素List情報はMME  List情報又はSGSN  List情報を含むことと、Cell  List情報に対応するMBMS  SA構成情報テーブルがある場合、第２のプロセッサが、MBMS  SA構成情報テーブルからMBMS  SA構成情報を取得することと、を含む。
【００２４】
第３の態様の第１の可能な実施方式に関して、第３の可能な実施方式では、第２のプロセッサが、Cell  List情報に従ってMBMS  SA構成情報を生成することは、第２のプロセッサが、SAI情報を生成することと、第２のプロセッサが、Cell  List情報に従ってCell情報テーブルにクエリを行って、対応する制御プレーンネットワーク要素List情報と対応するMCE  List情報とのうち少なくとも１つのタイプの情報を取得することと、第２のプロセッサが、MBMS  SA構成情報テーブルを生成することであって、MBMS  SA構成情報テーブルはMBMS  SA構成情報を含み、MBMS  SA構成情報は、生成されたSAI情報と、クエリから取得された制御プレーンネットワーク要素List情報とMCE  ListとCell  Listとのうち少なくとも１つのタイプの情報とを含み、制御プレーンネットワーク要素List情報はMME  List情報又はSGSN  List情報を含むことと、第２のプロセッサが、MBMS  SA構成情報テーブルからMBMS  SA構成情報を取得することと、を含む。
【００２５】
第３の態様の第３の可能な実施方式に関して、第４の可能な実施方式では、第２のプロセッサは、MBMS  SA構成情報テーブルからMCE構成情報を取得するか、又はブロードキャストエリアに従ってMCE構成情報を生成する。MCE構成情報は生成されたSAI情報とMCE  List情報とを含む。第２のトランシーバは、MCE構成情報を制御プレーンネットワーク要素に送信する。
【００２６】
第３の態様の第３の可能な実施方式又は第４の可能な実施方式に関して、第５の可能な実施方式では、第２のプロセッサは、MBMS  SA構成情報テーブルからMBSFN  Area構成情報を取得するか、又はブロードキャストエリアに従ってMBSFN  Area構成情報を生成する。MBSFN  Area構成情報は、SAI情報、MBSFN  Area識別子及びCell  Listを含む。第２のトランシーバは、MBSFN  Area構成情報をMCEに送信する。
【００２７】
第３の態様の第３の可能な実施方式又は第４の可能な実施方式又は第５の可能な実施方式に関して、第６の可能な実施方式では、第２のプロセッサは、MBMS  SA構成情報テーブルからCell構成情報を取得するか、又はブロードキャストエリアに従ってCell構成情報を生成する。Cell構成情報はCell  ID及びSAI情報を含む。第２のトランシーバは、Cell構成情報を基地局に送信する。
【００２８】
第３の態様に実施方式に関して、第７の可能な実施方式では、第２のトランシーバがブロードキャスト／マルチキャストサービスセンター（BM-SC）によって送信されたeMBMSベアラ申請要求のブロードキャストエリアを受信する前に、第２のトランシーバは、オープンプラットフォーム又はBM-SCからMCEクエリ要求を取得する。MCEクエリ要求はブロードキャストエリアを含む。第２のプロセッサは、クエリ要求のブロードキャストエリアに従ってMCEクエリ応答を生成する。MCEクエリ応答はMCE情報を含む。第２のトランシーバは、オープンプラットフォーム又はBM-SCにMCEクエリ応答を送信し、それによりオープンプラットフォーム又はBM-SCは、eMBMSベアラ機能クエリ要求をMCEに送信し、MCEからeMBMSベアラ機能クエリ応答を取得することができる。eMBMSベアラ機能クエリ応答は、アクセスネットワークがeMBMSベアラによって必要とされるQoSを割り当てることができるか否かをMCEが決定した結果を含む。
【００２９】
第３の態様の実施方式に関して、第８の可能な実施方式では、第２のトランシーバがブロードキャスト／マルチキャストサービスセンター（BM-SC）によって送信されたeMBMSベアラ申請要求のブロードキャストエリアを受信した後、第２のトランシーバは、オープンプラットフォーム又はBM-SCからMCEクエリ要求を取得する。MCEクエリ要求はブロードキャストエリアを含む。第２のプロセッサは、クエリ要求のブロードキャストエリアに従ってMCEクエリ応答を生成する。MCEクエリ応答はMCE情報を含む。第２のトランシーバは、MCE情報をオープンプラットフォーム又はBM-SCに送信し、それによりオープンプラットフォーム又はBM-SCは、eMBMSベアラ機能クエリ要求をMCEに送信し、MCEからeMBMSベアラ機能クエリ応答を取得することができる。eMBMSベアラ機能クエリ応答は、アクセスネットワークがeMBMSベアラによって必要とされるQoSを割り当てることができるか否かをMCEが決定した結果を含む。
【００３０】
第３の態様〜第７の可能な実施方式に関して、第９の可能な実施方式では、構成サービスセンターは構成サーバ又はOSSであり、制御プレーンネットワーク要素は、モビリティ管理エンティティ（MME）又はサービング汎用パケット無線サービスサポートノード（SGSN）である。
【００３１】
第４の態様は、eMBMSブロードキャスト方法を提供する。本eMBMS方法は、BM-SCによって送信されたeMBMSベアラ申請要求のブロードキャストエリアを受信するステップと、ブロードキャストエリアに従ってMBMS  SA構成情報を取得するステップと、MBMS  SA構成情報をBM-SCに送信するステップであって、MBMS  SA構成情報は、ブロードキャストエリアのeMBMSセッションリソースの確立に用いられる、ステップと、を含む。
【００３２】
第４の態様の実施方式に関して、第１の可能な実施方式では、ブロードキャストエリアに従ってMBMS  SA構成情報を取得するステップは、ブロードキャストエリアをCell  List情報に変換するステップと、Cell  List情報に従ってMBMS  SA構成情報テーブルにクエリを行うことにより、MBMS  SA構成情報を取得するステップ、又はCell  List情報に従ってMBMS  SA構成情報を生成するステップと、を含む。
【００３３】
第４の態様の第１の可能な実施方式に関して、第２の可能な実施方式では、Cell  List情報に従ってMBMS  SA構成情報テーブルにクエリを行うことにより、MBMS  SA構成情報を取得するステップは、Cell  List情報に対応するMBMS  SA構成情報テーブルがあるか否かを決定するステップであって、MBMS  SA構成情報テーブルはMBMS  SA構成情報を含み、MBMS  SA構成情報は、SAI情報と、制御プレーンネットワーク要素List情報とMCE  ListとMBSFN  Area識別子とCell  Listとのうち少なくとも１つのタイプの情報とを含み、制御プレーンネットワーク要素List情報はMME  List情報又はSGSN  List情報を含む、ステップと、Cell  List情報に対応するMBMS  SA構成情報テーブルがある場合、MBMS  SA構成情報テーブルからMBMS  SA構成情報を取得するステップと、を含む。
【００３４】
第４の態様の第１の可能な実施方式に関して、第３の可能な実施方式では、Cell  List情報に従ってMBMS  SA構成情報を生成するステップは、SAI情報を生成するステップと、Cell  List情報に従ってCell情報テーブルにクエリを行って、対応する制御プレーンネットワーク要素List情報と対応するMCE  List情報とのうち少なくとも１つのタイプの情報を取得するステップと、MBMS  SA構成情報テーブルを生成するステップであって、MBMS  SA構成情報テーブルはMBMS  SA構成情報を含み、MBMS  SA構成情報は、生成されたSAI情報と、クエリから取得された制御プレーンネットワーク要素List情報とMCE  ListとCell  Listとのうち少なくとも１つのタイプの情報とを含み、制御プレーンネットワーク要素List情報はMME  List情報又はSGSN  List情報を含む、ステップと、MBMS  SA構成情報テーブルからMBMS  SA構成情報を取得するステップと、を含む。
【００３５】
第４の態様の第３の可能な実施方式に関して、第４の可能な実施方式では、本方法は更に、MBMS  SA構成情報テーブルからMCE構成情報を取得するステップ、又はブロードキャストエリアに従ってMCE構成情報を生成するステップであって、MCE構成情報は生成されたSAI情報とMCE  List情報とを含む、ステップと、MCE構成情報を制御プレーンネットワーク要素に送信するステップと、を含む。
【００３６】
第４の態様の第３の可能な実施方式又は第４の可能な実施方式に関して、第５の可能な実施方式では、本方法は更に、MBMS  SA構成情報テーブルからMBSFN  Area構成情報を取得するステップ、又はブロードキャストエリアに従ってMBSFN  Area構成情報を生成するステップであって、MBSFN  Area構成情報は、SAI情報、MBSFN  Area識別子及びCell  Listを含む、ステップと、MBSFN  Area構成情報をMCEに送信するステップと、を含む。
【００３７】
第４の態様の第３の可能な実施方式又は第４の可能な実施方式又は第５の可能な実施方式に関して、第６の可能な実施方式では、本方法は更に、MBMS  SA構成情報テーブルからCell構成情報を取得するステップ、又はブロードキャストエリアに従ってCell構成情報を生成するステップであって、Cell構成情報はCell  ID及びSAI情報を含む、ステップと、Cell構成情報を基地局に送信するステップと、を含む。
【００３８】
第４の態様の実施方式に関して、第７の可能な実施方式では、BM-SCからeMBMSベアラ申請要求のブロードキャストエリアが取得される前に、本方法は更に、オープンプラットフォーム又はBM−SCからMCEクエリ要求を取得するステップであって、MCEクエリ要求はブロードキャストエリアを含む、ステップと、クエリ要求のブロードキャストエリアに従ってMCEクエリ応答を生成するステップであって、MCEクエリ応答はMCE情報を含む、ステップと、MCEクエリ応答をオープンプラットフォーム又はBM-SCに送信するステップであって、それによりオープンプラットフォーム又はBM-SCは、eMBMSベアラ機能クエリ要求をMCEに送信し、MCEからeMBMSベアラ機能クエリ応答を取得することができ、eMBMSベアラ機能クエリ応答は、アクセスネットワークがeMBMSベアラによって必要とされるQoSを割り当てることができるか否かをMCEが決定した結果を含む、ステップと、を含む。
【００３９】
第４の態様の実施方式に関して、第８の可能な実施方式では、BM-SCからeMBMSベアラ申請要求のブロードキャストエリアが取得された後に、本方法は更に、オープンプラットフォーム又はBM-SCからMCEクエリ要求を取得するステップであって、MCEクエリ要求はブロードキャストエリアを含む、ステップと、クエリ要求のブロードキャストエリアに従ってMCEクエリ応答を生成するステップであって、MCEクエリ応答はMCE情報を含む、ステップと、MCE情報をオープンプラットフォーム又はBM-SCに送信するステップであって、それによりオープンプラットフォーム又はBM-SCは、eMBMSベアラ機能クエリ要求をMCEに送信し、MCEからeMBMSベアラ機能クエリ応答を取得することができ、eMBMSベアラ機能クエリ応答は、アクセスネットワークがeMBMSベアラによって必要とされるQoSを割り当てることができるか否かをMCEが決定した結果を含む、ステップと、を含む。
【００４０】
第４の態様〜第８の可能な実施方式に関して、第９の可能な実施方式では、構成サービスセンターは構成サーバ又はOSSであり、制御プレーンネットワーク要素はMME又はSGSNである。
【００４１】
第５の態様は、通信システムを提供する。本通信システムは、第１のeMBMS処理ネットワーク要素、第２のeMBMS処理ネットワーク要素及びアプリケーションサーバを備える。第１のeMBMS処理ネットワーク要素は、第１の態様〜第１の態様の第７の可能な実施方式のいずれか１つに係るeMBMS処理ネットワーク要素であり、第２のeMBMS処理ネットワーク要素は、第３の態様〜第３の態様の第９の可能な実施方式のいずれか１つに係るeMBMS処理ネットワーク要素である。
【００４２】
上述の解決策によれば、本発明の有益な効果は以下のとおりである。本発明では、eMBMS処理ネットワーク要素が、構成サービスセンターからMBMS  SA構成情報を取得し、eMBMS処理ネットワーク要素が、MBMS  SA構成情報に従って、ブロードキャストエリアのeMBMSセッションリソースを確立する。これにより、eMBMS機能解放機構の下ではブロードキャストエリアを動的に生成することができないという問題を解決することができる。
【図面の簡単な説明】
【００４３】
本発明の実施形態における技術的解決策をより明確に説明するために、以下、実施形態を説明するために必要な添付図面を簡潔に説明する。明らかながら、添付図面は以下の説明において、本発明の一部の実施形態を示すものに過ぎない。当業者であれば、これらの添付図面から創意工夫なく他の図面を更に導出できるであろう。
【図１】従来技術の進化型マルチメディアブロードキャスト／マルチキャストサービスシステムアーキテクチャの概略構造図である。
【図２】本発明の第１の実施形態に係る通信システムの概略構造図である。
【図３】本発明の第２の実施形態に係る通信システムの概略構造図である。
【図４】本発明の第１の実施形態に係るeMBMSブロードキャスト方法のフローチャートである。
【図５】本発明の第２の実施形態に係るeMBMSブロードキャスト方法のフローチャートである。
【図６】本発明の第３の実施形態に係るeMBMSブロードキャスト方法のフローチャートである。
【図７】本発明の第４の実施形態に係るeMBMSブロードキャスト方法のフローチャートである。
【図８】本発明の第５の実施形態に係るeMBMSブロードキャスト方法のフローチャートである。
【発明を実施するための形態】
【００４４】
以下、本発明の実施形態において添付図面を参照しながら、本発明の実施形態における技術的解決策を明確且つ完全に説明する。明らかながら、説明される実施形態は本発明の実施形態の一部に過ぎず、全部ではない。当業者が本発明の実施形態に基づいて創意工夫なく得た他の実施形態は、全て本発明の保護範囲に包含されるものとする。
【００４５】
図２を参照する。図２は、本発明の第１の実施形態に係る通信システムの構造図である。本実施形態に開示される通信システム20は、第１のeMBMS処理ネットワーク要素201、第２のeMBMS処理ネットワーク要素202及びアプリケーションサーバ203を備える。
【００４６】
本実施形態では、第１のeMBMS処理ネットワーク要素201は、第１のプロセッサ211、第１のトランシーバ221及び第１のメモリ231を備える。第２のeMBMS処理ネットワーク要素202は、第２のプロセッサ212、第２のトランシーバ222及び第２のメモリ232を備える。第２のメモリ232は、ブロードキャスト／マルチキャストサービスエリア（Service  Area，サービスエリア）（MBMS  SA）構成情報テーブルを記憶するように構成される。第１のトランシーバ221は、アプリケーションサーバ203からeMBMSベアラ申請要求を取得する。第１のメモリ231は更に、eMBMSベアラ申請要求を記憶するように構成される。eMBMSベアラ申請要求はブロードキャストエリアを含む。ブロードキャストエリアは、好ましくは、セル（cell）情報、経緯度情報、地理的位置情報又はショッピングモール位置情報である。第１のトランシーバ221は、eMBMSベアラ申請要求のブロードキャストエリアを第２のトランシーバ222に送信する。第２のプロセッサ212は、ブロードキャストエリアを第２のトランシーバ222から取得し、ブロードキャストエリアに従ってMBMS  SA構成情報テーブルにクエリを行って、MBMS  SA構成情報を取得する。第２のトランシーバ222は、MBMS  SA構成情報を第１のトランシーバ221に送信する。MBMS  SA構成情報は、MBMS  SA構成情報テーブルのSAI（Service  Area  ID、サービスエリア識別子）及び制御プレーンネットワーク要素List情報を含む。制御プレーンネットワーク要素List情報は、MME  List情報又はSGSN  List情報を含む。第１のプロセッサ211は、MBMS  SA構成情報を第１のトランシーバ221から取得し、MBMS  SA構成情報に従って、ブロードキャストエリアのeMBMSセッションリソースを確立する。すなわち、MBMS  SA構成情報は、ブロードキャストエリアのeMBMSセッションリソースの確立に用いられる。
【００４７】
第１のプロセッサ211がMBMS  SA構成情報に従ってブロードキャストエリアのeMBMSセッションリソースを確立することは、第１の処理ユニット211が、MBMS  SA構成情報に従ってセッション開始手順を開始することであって、第１の処理ユニット211によって開始されるセッション開始手順は、MBMB  SA構成情報のSAI情報及び制御プレーンネットワーク要素List情報を含むことと、セッション開始手順に従って、ブロードキャストエリアのeMBMSセッションリソースを確立することと、を含む。
【００４８】
本実施形態では、第２のメモリ232はCell情報テーブルを記憶する。Cell情報テーブルは、Cell  ID情報と、対応するMCE情報と、対応する制御プレーンネットワーク要素List情報とを含む。第２のプロセッサ212がブロードキャストエリアに従ってMBMS  SA構成情報を取得することは、具体的には以下を含む。第２のメモリ232が、アドレス位置情報テーブルを記憶する。アドレス位置情報テーブルは、Cell  ID情報と、Cell  ID情報に対応する経緯度情報、地理的位置情報又はショッピングモール位置情報とを含む。第２のプロセッサ212は、ブロードキャストエリアの経緯度情報、地理的位置情報又はショッピングモール位置情報に従ってアドレス位置情報テーブルにクエリを行って、ブロードキャストエリアに対応するCell  List情報を取得する。このように、第２のプロセッサ212は、ブロードキャストエリアをCell  List情報に変換する。Cell  List情報は、１以上のCell  IDについての情報を含む。MBMS  SA構成情報テーブルは、SAIと、SAIに対応するCell  List情報とを含む。第２のプロセッサ212は、Cell  List情報に従ってMBMS  SA構成情報テーブルにクエリを行って、Cell  List情報に対応するMBMS  SA構成情報テーブルがあるか否かを決定する。Cell  List情報に対応するMBMS  SA構成情報テーブルがある場合、すなわち、第２のプロセッサ212がクエリにより、Cell  List情報に従ってMBMS  SA構成情報テーブルを取得することができる場合、MBMS  SA構成情報テーブルはCell  List情報に対応する。MBMS  SA構成情報テーブルは、SAI情報と、制御プレーンネットワーク要素List情報とMCE  ListとMBSFN  Area識別子とCell  Listとのうち少なくとも１つのタイプの情報とを含む。第２のプロセッサ212は、MBMS  SA構成情報テーブルからMBMS  SA構成情報を取得する。Cell  List情報に対応するMBMS  SA構成情報テーブルがない場合、すなわち、第２のプロセッサ212がクエリにより、Cell  List情報に従ってMBMS  SA構成情報テーブルを取得することができない場合、第２のプロセッサ212は、Cell  List情報に従ってCell情報テーブルにクエリを行って、Cell  List情報に対応する制御プレーンネットワーク要素情報とMCE  List情報とのうち少なくとも１つのタイプの情報を取得する。第２のプロセッサ212はMBMS  SA構成情報テーブルを動的に生成する。MBMS  SA構成情報テーブルは、生成されたSAI情報と、クエリから取得された制御プレーンネットワーク要素List情報とMCE  ListとCell  Listとのうち少なくとも１つのタイプの情報とを含む。第２のプロセッサ212は、MBMS  SA構成情報テーブルからMBMS  SA構成情報を取得する。MME  List情報は、１以上のMME  IPアドレス又はMME識別子についての情報を含み、SGSN  List情報は、１以上のSGSN  IPアドレス又はSGSN識別子についての情報を含み、MCE  List情報は、１以上のMCE  IPアドレス又はMCE識別子についての情報を含む。
【００４９】
第１のプロセッサ211が第１のトランシーバ221からMBMS  SA構成情報を取得した後、第１のプロセッサ211は、MBMS  SA構成情報に従って、第１のメモリ231に記憶される第１のMBMS  SA情報テーブルを構成する。第１のMBMS  SA情報テーブルは、SAI、制御プレーンネットワーク要素List情報（MME  List情報又はSGSN  List情報）を含む。
【００５０】
好ましくは、第１のeMBMS処理ネットワーク要素201は好ましくはBM-SCであり、第２のeMBMS処理ネットワーク要素202は好ましくは構成サービスセンターである。構成サービスセンターは、構成サーバ又はオペレーション・サポート・システム（Operations  Support  System，OSS）である。
【００５１】
本実施形態に開示される通信システム20では、第２のプロセッサ212が、ブロードキャストエリアに従ってMBMS  SA構成情報を取得し、第１のプロセッサ211が、第１のトランシーバ221を用いてMBMS  SA構成情報を取得し、MBMS  SA構成情報に従ってブロードキャストエリアのeMBMSセッションリソースを確立する。これにより、eMBMSブロードキャスト機構の下ではブロードキャストエリアを動的に生成することができないという問題を解決することができる。更に、eMBMS付加価値サービスの収益化処理を実現し、モバイルネットワークオペレータの収益を増加させるために、モバイルネットワークオペレータは、eMBMSブロードキャスト機能を第三者に開放することができる。
【００５２】
本発明は更に、第２の実施形態の通信システムを提供する。本通信システムは、第１の実施形態に開示された通信システム20に基づいて説明される。図３に示されるように、本実施形態で開示される通信システムは更に、オープンプラットフォーム204、MBMS  GW205、制御プレーンネットワーク要素206、MCE207及び基地局208を備える。
【００５３】
本実施形態では、第１のトランシーバ221は、アプリケーションサーバ203から、オープンプラットフォーム204を用いて、eMBMSベアラ申請要求を取得する。第１のトランシーバ221がアプリケーションサーバ203からオープンプラットフォーム204を用いてeMBMSベアラ申請要求を取得する前に、以下が含まれる。オープンプラットフォーム204が、アプリケーションサーバ203からeMBMSベアラ機能クエリを取得する。eMBMSベアラ機能クエリは、ブロードキャストエリアと、eMBMSベアラのサービス品質（QoS）情報、すなわち、アプリケーションサーバ203の要求において申請されたeMBMSベアラによって必要とされるサービス品質情報とを含む。オープンプラットフォーム204は、MCEクエリ要求を第２のeMBMS処理ネットワーク要素202に送信する。MCEクエリ要求はブロードキャストエリアを含む。第２のプロセッサ212は、MCEクエリ要求に含まれるブロードキャストエリアに従ってMCEクエリ応答を生成する。MCEクエリ応答はMCE情報を含む。すなわち、第２のプロセッサ212は、第２のメモリ232に記憶されブロードキャストエリアに対応するMCE情報にクエリを行う。MCE情報は、好ましくは、MCE  IPアドレス情報又はMCE識別子情報である。オープンプラットフォーム204は、第２のトランシーバ222からMCEクエリ応答を取得し、MCE情報に対応するMCE207にeMBMSベアラ機能クエリ要求を送信する。eMBMSベアラ機能クエリ要求は、eMBMSベアラのサービス品質（QoS）情報を含む。MCE207は、eMBMSベアラ機能クエリ要求に従ってeMBMSベアラ機能クエリ応答を生成する。eMBMSベアラ機能クエリ応答は、アクセスネットワークがeMBMSベアラによって要求されたQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。オープンプラットフォーム204は、MCE207からeMBMSベアラ機能クエリ応答を取得し、eMBMSベアラ機能クエリ応答をアプリケーションサーバ203に送信する。eMBMSベアラ機能クエリ応答が成功情報を含む場合、アプリケーションサーバ203は、eMBMSベアラ申請要求を、オープンプラットフォーム204を用いて、第１のeMBMS処理ネットワーク要素201に送信する。eMBMSベアラ機能クエリ応答が失敗情報を含む場合、プロセスは終了し、アプリケーションサーバはeMBMSベアラ申請要求を送信しない。
【００５４】
第２のトランシーバ222がMBMS  SA構成情報を第１のトランシーバ221に送信した後、第２のプロセッサ212はMCE構成情報を取得し、第２のトランシーバ222は、MCE構成情報を制御プレーンネットワーク要素206に送信する。MCE構成情報は、サービスエリア識別子（SAI）情報及びMCE  List情報を含む。第２のプロセッサ212がMCE構成情報を取得する方式は、以下のとおりである。第２のプロセッサ212は、MBMS  SA構成情報テーブルからMCE構成情報を取得するか、又は、第２のプロセッサ212は、ブロードキャストエリアに従ってMCE構成情報を生成する。MCE構成情報を受信した後、制御プレーンネットワーク要素206はMCE情報テーブルを生成する。MCE情報テーブルは、SAI情報及びMCE  List情報を含む。
【００５５】
代替として、第２のプロセッサ212は、MBSFN  Area構成情報を取得する。第２のトランシーバ222は、MBSFN  Area構成情報をMCE207に送信する。MBSFN  Area構成情報は、SAI情報、MBSFN  Area  ID（識別子）及びCell  Listを含む。第２のプロセッサ212がMBSFN  Area構成情報を取得する方式は、以下のとおりである。第２のプロセッサ212は、MBMS  SA構成情報テーブルからMBSFN  Area構成情報を取得するか、又は、第２のプロセッサ212は、ブロードキャストエリアに従ってMBSFN  Area構成情報を生成する。MBSFN  Area構成情報を受信した後、MCE207は、MBSFN  Area情報テーブルを生成する。MBSFN  Area情報テーブルは、SAI情報、MBSFN  Area  ID及びCell  List情報を含む。MBSFN  Area  ID情報は、第２のeMBMS処理ネットワーク要素202ではなくMCE207自体によって生成されてもよい。このケースでは、第２のトランシーバ222からMCE207に送信されるMBSFN  Area構成情報は、SAI情報及びCell  List情報のみを含む。MBSFN  Area構成情報を受信した後、MCE207は、SAI情報に従ってMBSFN  Area  IDを生成し、MBSFN  Area情報テーブルを生成する。
【００５６】
代替として、第２のプロセッサ212は、Cell構成情報を取得する。第２のトランシーバ222は、Cell構成情報を基地局208に送信する。Cell構成情報は、Cell  ID及びSAI情報を含む。第２のプロセッサ212がCell構成情報を取得する方式は、以下のとおりである。第２のプロセッサ212は、MBMS  SA構成情報テーブルからCell構成情報を取得するか、又は、第２のプロセッサ212は、ブロードキャストエリアに従ってCell構成情報を生成する。Cell構成情報を受信した後、基地局208は、Cellブロードキャスト情報テーブルを生成する。Cellブロードキャスト情報テーブルは、Cell  ID及びSAI情報を含む。
【００５７】
好ましくは、制御プレーンネットワーク要素206は、モビリティ管理エンティティ（MME）又はサービング汎用パケット無線サービスサポートノード（SGSN）である。
【００５８】
本発明は更に、第３の実施形態の通信システムを提供する。本実施形態で開示される通信システムと第２の実施形態で開示される通信システムとの相違は、以下のとおりである。第１のトランシーバ221がアプリケーションサーバ203からeMBMSベアラ申請要求を取得する前、又は、第１のトランシーバ221がアプリケーションサーバ203からオープンプラットフォーム204を用いてeMBMSベアラ申請要求を取得する前、第１のトランシーバ221は、アプリケーションサーバ203からeMBMSベアラ機能クエリを取得するか、又は、第１のトランシーバ221は、アプリケーションサーバ203から、オープンプラットフォーム204を用いて、eMBMSベアラ機能クエリを取得する。eMBMSベアラ機能クエリは、ブロードキャストエリアと、eMBMSベアラのサービス品質（QoS）情報とを含む。第１のプロセッサ211は、eMBMSベアラ機能クエリのブロードキャストエリアに従って、MCE情報を取得する。すなわち、第１のトランシーバ221は、第２のeMBMS処理ネットワーク要素202にMCEクエリ要求を送信し（MCEクエリ要求はブロードキャストエリアを含む）、第２のeMBMS処理ネットワーク要素202からMCEクエリ応答を取得する。第１のプロセッサ211は、ブロードキャストエリアに従って、MCEクエリ応答からMCE情報を取得する。第１のトランシーバ221は、MCE情報に対応するMCE207にeMBMSベアラ機能クエリ要求を送信し（eMBMSベアラ機能クエリ要求は、eMBMSベアラのサービス品質（QoS）情報を含む）、MCE207からeMBMSベアラ機能クエリ応答を取得する。応答は、アクセスネットワークがeMBMSベアラによって必要とされるQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。第１のトランシーバ221は、eMBMSベアラ機能クエリ応答をアプリケーションサーバ203に送信するか、又は、第１のトランシーバ221は、eMBMSベアラ機能クエリ応答を、オープンプラットフォーム204を用いて、アプリケーションサーバ203に送信する。eMBMSベアラ機能クエリ応答が成功情報を含む場合、アプリケーションサーバ203は、eMBMSベアラ申請要求を、オープンプラットフォーム204を用いて、第１のeMBMS処理ネットワーク要素201に送信する。eMBMSベアラ機能クエリ応答が失敗情報を含む場合、フローが終了し、アプリケーションサーバ203はeMBMSベアラ申請要求を送信しない。
【００５９】
本発明は更に、第４の実施形態の通信システムを提供する。本実施形態で開示される通信システムと第２の実施形態で開示される通信システムとの相違は、以下のとおりである。オープンプラットフォーム204は、アプリケーションサーバ203からeMBMSベアラ申請要求を取得し、eMBMSベアラ申請要求のブロードキャストエリアに従ってMCEクエリ要求を生成する。MCEクエリ要求は、eMBMSベアラ申請要求に含まれるブロードキャストエリアを含む。オープンプラットフォーム204は、第２のeMBMS処理ネットワーク要素202にMCEクエリ要求を送信する。MCEクエリ要求はブロードキャストエリアを含む。第２のプロセッサ212は、MCEクエリ要求に含まれるブロードキャストエリアに従ってMCEクエリ応答を生成する。MCEクエリ応答はMCE情報を含む。すなわち、第２のプロセッサ212は、第２のメモリ232に記憶されブロードキャストエリアに対応するMCE情報にクエリを行う。MCE情報は、好ましくは、MCE  IPアドレス情報又はMCE識別子情報である。オープンプラットフォーム204は、第２のトランシーバ222からMCEクエリ応答を取得し（クエリ応答は、ブロードキャストエリアに対応するMCE情報を含む）、MCE情報に対応するMCE207にeMBMSベアラ機能クエリ要求を送信する。eMBMSベアラ機能クエリ要求は、eMBMSベアラのサービス品質（QoS）情報を含む。MCE207は、eMBMSベアラ機能クエリ要求に従ってeMBMSベアラ機能クエリ応答を生成する。クエリ応答は、アクセスネットワークがeMBMSベアラによって必要とされるQoSを割り当てることができるか否かをMCE207が決定した結果を含む。オープンプラットフォーム204は、MCE207からeMBMSベアラ機能クエリ応答を取得する。eMBMSベアラ機能クエリ応答が成功情報を含む場合、オープンプラットフォーム204は、eMBMSベアラ申請要求を第１のeMBMS処理ネットワーク要素201に送信する。eMBMSベアラ機能クエリ応答が失敗情報を含む場合、オープンプラットフォーム204は、eMBMSベアラ申請失敗情報をアプリケーションサーバ203に送信し、フロー処理は終了する。
【００６０】
本発明は更に、第５の実施形態の通信システムを提供する。本実施形態で開示される通信システムと第２の実施形態で開示される通信システムとの相違は、以下のとおりである。第１のトランシーバ221がアプリケーションサーバ203からeMBMSベアラ申請要求を取得した後、又は、第１のトランシーバ221がアプリケーションサーバ203からオープンプラットフォーム204を用いてeMBMSベアラ申請要求を取得した後、以下が含まれる。第１のプロセッサ211は、ブロードキャストエリアに従ってMCE情報を取得する。すなわち、第１のプロセッサ211は、eMBMSベアラ申請要求に含まれるブロードキャストエリアに従って、MCEクエリ要求を生成し（MCEクエリ要求は、eMBMSベアラ申請要求に含まれるブロードキャストエリアを含む）、第１のトランシーバ221を用いて、第２のeMBMS処理ネットワーク要素202にMCEクエリ要求を送信する。MCEクエリ要求はブロードキャストエリアを含み、それにより第２のプロセッサ212は、MCEクエリ要求に含まれるブロードキャストエリアに従ってMCEクエリ応答を生成することができる。MCEクエリ応答はMCE情報を含む。すなわち、第２のプロセッサ212は、第２のメモリ232に記憶されブロードキャストエリアに対応するMCE情報にクエリを行う。MCE情報は、好ましくは、MCE  IPアドレス情報又はMCE識別子情報である。第１のトランシーバ221は、第２のトランシーバ222からMCEクエリ応答を取得する。第１のプロセッサ211は、MCEクエリ応答に従ってMCE情報を取得する。第１のトランシーバ221は、MCE情報に対応するMCE207にeMBMSベアラ機能クエリ要求を送信する。eMBMSベアラ機能クエリ要求は、eMBMSベアラのサービス品質（QoS）情報を含む。MCE207は、eMBMSベアラ機能クエリ要求に従ってeMBMSベアラ機能クエリ応答を生成する。第１のトランシーバ221は、MCE207からeMBMSベアラ機能クエリ応答を取得する。eMBMSベアラ機能クエリ応答は、アクセスネットワークがeMBMSベアラによって必要とされるQoSを割り当てることができるか否かをMCE207が決定した結果を含む。eMBMSベアラ機能クエリ応答が成功情報を含む場合、第１のトランシーバ221は、第２のeMBMS処理ネットワーク要素202にブロードキャストエリアを送信する。eMBMSベアラ機能クエリ応答が失敗情報を含む場合、第１のトランシーバ221は、アプリケーションサーバ203にeMBMSベアラ申請失敗情報を送信するか、又は、第１のトランシーバ221は、オープンプラットフォーム204を用いて、アプリケーションサーバ203にeMBMSベアラ申請失敗情報を送信し、フロー処理は終了する。
【００６１】
本発明は更に、第１の実施形態のeMBMSブロードキャスト方法を提供する。本eMBMSブロードキャスト方法は、第１の実施形態に開示された通信システム20に基づいて説明される。図４に示されるように、本実施形態に開示されるeMBMSブロードキャスト方法は、以下のステップを含む。
【００６２】
S401．第１のeMBMS処理ネットワーク要素201が、アプリケーションサーバ203からeMBMSベアラ申請要求を取得する。eMBMSベアラ申請要求はブロードキャストエリアを含む。
【００６３】
S402．第２のeMBMS処理ネットワーク要素202が、第１のeMBMS処理ネットワーク要素201からブロードキャストエリアを取得し、ブロードキャストエリアに従ってMBMS  SA構成情報を取得する。
【００６４】
S403．第１のeMBMS処理ネットワーク要素201が、第２のeMBMS処理ネットワーク要素202からMBMS  SA構成情報を取得し、MBMS  SA構成情報に従って、ブロードキャストエリアのeMBMSセッションリソースを確立する。
【００６５】
S401において、ブロードキャストエリアは、好ましくは、Cell情報、経緯度情報、地理的位置情報又はショッピングモール位置情報である。
【００６６】
S402において、第２のeMBMS処理ネットワーク要素202は、Cell情報テーブルを記憶する。Cell情報テーブルは、Cell  ID情報と、対応するMCE情報と、対応する制御プレーンネットワーク要素List情報とを含み、制御プレーンネットワーク要素List情報はMME情報又はSGSN情報を含む。第２のeMBMS処理ネットワーク要素202がブロードキャストエリアに従ってMBMS  SA構成情報テーブルを取得することは、具体的には以下を含む。第２のeMBMS処理ネットワーク要素202は、アドレス位置情報テーブルを構成する。アドレス位置情報テーブルは、Cell  ID情報、Cell  ID情報に対応する経緯度情報、地理的位置情報又はショッピングモール位置情報を含む。第２のeMBMS処理ネットワーク要素202は、ブロードキャストエリアの経緯度情報、地理的位置情報又はショッピングモール位置情報に従って、アドレス位置情報テーブルにクエリを行って、ブロードキャストエリアに対応するCell  List情報を取得する。このように、第２のeMBMS処理ネットワーク要素202は、ブロードキャストエリアをCell  List情報に変換する。Cell  List情報は、１以上のCell  IDについての情報を含む。第２のeMBMS処理ネットワーク要素202は、MBMS  SA構成情報テーブルを構成する。MBMS  SA構成情報テーブルは、SAIと、SAIに対応するCell  List情報とを含む。第２のeMBMS処理ネットワーク要素202は、Cell  List情報に従ってMBMS  SA構成情報テーブルにクエリを行って、Cell  List情報に対応するMBMS  SA構成情報テーブルがあるか否かを決定する。Cell  List情報に対応するMBMS  SA構成情報テーブルがある場合、すなわち、第２のeMBMS処理ネットワーク要素202は、クエリによりMBMS  SA構成情報テーブルを取得し、MBMS  SA構成情報テーブルはCell  List情報に対応する。MBMS  SA構成情報テーブルは、SAI情報と、制御プレーンネットワーク要素List情報とMCE  ListとMBSFN  Area識別子とCell  Listとのうち少なくとも１つのタイプの情報とを含む。Cell  List情報に対応するMBMS  SA構成情報テーブルがない場合、すなわち、第２のeMBMS処理ネットワーク要素202がクエリによりMBMS  SA構成情報テーブルを取得できない場合、第２のeMBMS処理ネットワーク要素202は、Cell  List情報に従ってCell情報テーブルにクエリを行って、Cell  List情報に対応する制御プレーンネットワーク要素情報とMCE  List情報とのうち少なくとも１つのタイプの情報を取得する。第２のeMBMS処理ネットワーク要素202は、MBMS  SA構成情報テーブルを動的に生成する。MBMS  SA構成情報テーブルは、生成されたSAI情報と、クエリから取得された制御プレーンネットワーク要素List情報とMCE  ListとCell  Listとのうち少なくとも１つのタイプの情報とを含む。第２のeMBMS処理ネットワーク要素202  MBMS  SA構成情報テーブルからMBMS  SA構成情報を取得する。MME  List情報は、１以上のMME  IPアドレス又はMME識別子についての情報を含み、SGSN  List情報は、１以上のSGSN  IPアドレス又はSGSN識別子についての情報を含み、MCE  List情報は、１以上のMCE  IPアドレス又はMCE識別子についての情報を含む。
【００６７】
S403において、第１のeMBMS処理ネットワーク要素201がMBMS  SA構成情報を取得した後（MBMS  SA構成情報は、MBMS  SA構成情報テーブルのSAI及び制御プレーンネットワーク要素List情報を含む）、第１のeMBMS処理ネットワーク要素201は、MBMS  SA構成情報に従って第１のMBMS  SA情報テーブルを生成する。第１のMBMS  SA情報テーブルは、SAI及び制御プレーンネットワーク要素List情報を含む。第１のeMBMS処理ネットワーク要素201は、MBMS  SA構成情報に従ってセッション開始手順を開始し、セッション開始手順に従って、ブロードキャストエリアのeMBMSセッションリソースを確立する。
【００６８】
好ましくは、第１のeMBMS処理ネットワーク要素201は好ましくはBM-SCであり、第２のeMBMS処理ネットワーク要素202は好ましくは構成サービスセンターである。構成サービスセンターは構成サーバ又はOSSである。
【００６９】
本実施形態に開示されるeMBMSブロードキャスト方法は、eMBMSブロードキャスト機構の下ではブロードキャストエリアを動的に生成することができないという問題を解決することができる。更に、eMBMS付加価値サービスの収益化処理を実現し、モバイルネットワークオペレータの収益を増加させるために、モバイルネットワークオペレータは、eMBMSブロードキャスト機能を第三者に開放することができる。
【００７０】
本発明は更に、第２の実施形態のeMBMSブロードキャスト方法を提供する。本eMBMSブロードキャスト方法は、第２の実施形態で開示される通信システムに基づいて説明される。図５に示されるように、本実施形態に開示されるeMBMSブロードキャスト方法は、以下のステップを含む。
【００７１】
S501．オープンプラットフォーム204が、アプリケーションサーバ203からeMBMSベアラ機能クエリを取得する。eMBMSベアラ機能クエリは、ブロードキャストエリアと、eMBMSベアラのサービス品質（QoS）情報とを含む。
【００７２】
S502．オープンプラットフォーム204が、第２のeMBMS処理ネットワーク要素202にMCEクエリ要求を送信する。MCEクエリ要求は、受信されたeMBMSベアラ機能クエリに含まれるブロードキャストエリアを含む。
【００７３】
S503．第２のeMBMS処理ネットワーク要素202が、MCEクエリ要求に含まれるブロードキャストエリアに従ってMCEクエリ応答を生成し、オープンプラットフォーム204にMCEクエリ応答を送信する。MCEクエリ応答はMCE情報を含む。MCE情報は、好ましくは、MCE  IPアドレス情報又はMCE識別子情報である。第２のeMBMS処理ネットワーク要素202は、MCE情報テーブルを構成する。MCE情報テーブルは、MCE情報と、MCE情報に対応するブロードキャストエリアとを含む。第２のeMBMS処理ネットワーク要素202は、MCEクエリ要求に含まれるブロードキャストエリアに従ってMCE情報テーブルにクエリを行って、MCE情報を取得し、ブロードキャストエリアに従ってMCEクエリ応答を生成する。
【００７４】
S504．オープンプラットフォーム204が、MCE情報に対応するMCE207にeMBMSベアラ機能クエリ要求を送信する。eMBMSベアラ機能クエリ要求は、eMBMSベアラのサービス品質（QoS）を含む。
【００７５】
S505．MCE207は、eMBMSベアラ機能クエリ要求に従ってeMBMSベアラ機能クエリ応答を生成し、eMBMSベアラ機能クエリ応答をオープンプラットフォーム204に送信する。eMBMSベアラ機能クエリ応答は、アクセスネットワークがeMBMSベアラによって必要とされるQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。
【００７６】
S506．オープンプラットフォーム204が、eMBMSベアラ機能クエリ応答をアプリケーションサーバ203に送信する。
【００７７】
S507．eMBMSベアラ機能クエリ応答が成功情報を含む場合、アプリケーションサーバ203が、オープンプラットフォーム204を用いて、第１のeMBMS処理ネットワーク要素201にeMBMSベアラ申請要求を送信する。eMBMSベアラ申請要求はブロードキャストエリアを搬送する。
【００７８】
S508．第２のeMBMS処理ネットワーク要素202が、第１のeMBMS処理ネットワーク要素201からブロードキャストエリアを取得し、ブロードキャストエリアに従ってMBMS  SA構成情報を取得する。詳細な処理については、図４のS402の上述の詳細な説明を参照されたい。ここでは詳細の説明を省略する。
【００７９】
S509．第１のeMBMS処理ネットワーク要素201が、第２のeMBMS処理ネットワーク要素202からMBMS  SA構成情報（MBMS  SA構成情報はSAI及び制御プレーンネットワーク要素List情報を含む）を取得する。第１のeMBMS処理ネットワーク要素201は、MBMS  SA構成情報に従って、第１のMBMS  SA構成情報テーブルを動的に構成する（第１のMBMS  SA構成情報テーブルは、SAI及び制御プレーンネットワーク要素List情報を含む）。第１のeMBMS処理ネットワーク要素201は、MBMS  SA構成情報に従って、ブロードキャストエリアのeMBMSセッションリソースを確立する。
【００８０】
S510．第２のeMBMS処理ネットワーク要素202が、MCE構成情報（MCE構成情報は、SAI情報及びMCE  List情報を含む）を取得し、MCE構成情報を制御プレーンネットワーク要素206に送信する。
【００８１】
続いて、MCE構成情報を受信した後、制御プレーンネットワーク要素206は、MCE情報テーブルを生成する。MCE情報テーブルは、SAI情報及びMCE  List情報を含む。
【００８２】
S511．第２のeMBMS処理ネットワーク要素202が、MBSFN  Area構成情報を取得し（MBSFエリア構成情報は、SAI情報、MBSFN  Area  ID及びCell  List情報を含む）、MBSFN  Area構成情報をMCE207に送信する。
【００８３】
続いて、MBSFN  Area構成情報を受信した後、MCE207はMBSFN  Area情報テーブルを生成する。MBSFN  Area情報テーブルは、SAI情報、MBSFN  Area  ID及びCell  List情報を含む。MBSFN  Area  IDは、MCE207自体によって生成されてよい。このケースでは、第２のeMBMS処理ネットワーク要素202によって取得されるMBSFN  Area構成情報は、SAI情報及びCell  List情報のみを含む。
【００８４】
S512．第２のeMBMS処理ネットワーク要素202が、Cell構成情報を取得し、Cell構成情報を基地局208に送信する。
【００８５】
続いて、Cell構成情報を受信した後、基地局208は、Cellブロードキャスト情報テーブルを生成する。Cellブロードキャスト情報テーブルは、Cell  ID及びSAI情報を含む。
【００８６】
留意すべきこととして、ステップ509〜ステップ512の順序関係はない。
【００８７】
S513．第１のeMBMS処理ネットワーク要素201が、eMBMSベアラ申請応答をオープンプラットフォーム204に送信し、オープンプラットフォーム204が、eMBMSベアラ申請応答をアプリケーションサーバ203に転送する。
【００８８】
S514．第１のeMBMS処理ネットワーク要素201が、アプリケーションサーバ203によって要求されたeMBMSベアラにポイントツーマルチポイントタイプのTMGIを割り当て、MBMS  GW205にセッション要求を送信する。セッション要求は、TMGI情報、SAI情報及び制御プレーンネットワーク要素List情報を含む。第１のeMBMS処理ネットワーク要素201は、第１のMBMS  SA構成情報テーブルから制御プレーンネットワーク要素List情報を取得する。
【００８９】
S515．MBMS  GW205が、セッション要求に従って１つのIPマルチキャストアドレスを割り当て、セッション要求を制御プレーンネットワーク要素206に送信する。セッション要求は、IPマルチキャストアドレス情報及びSAI情報を含む。MBMS  GW205は、セッション要求から制御プレーンネットワーク要素List情報を取得し、制御プレーンネットワーク要素List情報に対応する制御プレーンネットワーク要素206にセッション要求を送信する。
【００９０】
S516．制御プレーンネットワーク要素206が、セッション要求に従ってMCE情報テーブルにクエリを行い、セッション要求をMCE207に送信する。セッション要求はSAI情報を含む。制御プレーンネットワーク要素206が、セッション要求からSAI情報を取得し、SAI情報に従ってMCE情報テーブルにクエリを行って、MCE情報テーブルからMCE  List情報を取得する。制御プレーンネットワーク要素206は、MCE  List情報に対応するMCE207にセッション要求を送信する。
【００９１】
S517．MCE207が、セッション要求を基地局208に送信する。セッション要求はSAI情報を含む。MCE207は、セッション要求からSAI情報を取得し、SAI情報に従ってMBSFN  Area情報テーブルにクエリを行って、MBSFN  Area情報テーブルからCell  List情報を取得する。MCE207は、Cell  List情報に対応する基地局208にセッション要求を送信する。
【００９２】
S518．基地局208が、eMBMSセッションについてブロードキャストリソースを確立し、IPマルチキャストアドレスに従ってブロードキャストグループに参加する。基地局208は、セッション要求からSAI情報を取得し、SAI情報に従ってCellブロードキャスト情報テーブルにクエリを行って、Cellブロードキャスト情報テーブルからCell  ID情報を取得する。基地局は、Cell  IDに対応するセル内のeMBMSセッションについて、ブロードキャストリソースを確立する。
【００９３】
S519．基地局208が、MCE207にセッション応答を送信する。
【００９４】
S520．MCE207が、セッション応答を制御プレーンネットワーク要素206に送信する。
【００９５】
S521．制御プレーンネットワーク要素206が、セッション応答をMBMS  GW205に送信する。
【００９６】
S522．MBMS  GW205が、セッション応答を第１のeMBMS処理ネットワーク要素201に送信する。
【００９７】
S506において、eMBMSベアラ機能クエリ応答が成功情報を含む場合、S507が実行される。eMBMSベアラ機能クエリ応答が失敗情報を含む場合、後続のフロー処理は終了する。
【００９８】
本発明は更に、第３の実施形態のeMBMSブロードキャスト方法を提供する。本eMBMSブロードキャスト方法は、第３の実施形態で開示される通信システムに基づいて説明される。図６に示されるように、本実施形態に開示されるeMBMS機能を解放する方法は、以下のステップを含む。
【００９９】
S601．第１のeMBMS処理ネットワーク要素201が、アプリケーションサーバ203からeMBMSベアラ機能クエリを取得する。又は、第１のeMBMS処理ネットワーク要素201が、アプリケーションサーバ203から、オープンプラットフォーム204を用いて、eMBMSベアラ機能クエリを取得する。eMBMSベアラ機能クエリは、ブロードキャストエリアと、eMBMSベアラのサービス品質（QoS）情報とを含む。
【０１００】
S602．第１のeMBMS処理ネットワーク要素201が、第２のeMBMS処理ネットワーク要素202にMCEクエリ要求を送信する。MCEクエリ要求は、eMBMSベアラ機能クエリに含まれるブロードキャストエリアを含む。
【０１０１】
S603．第２のeMBMS処理ネットワーク要素202が、MCEクエリ要求に従ってMCEクエリ応答を生成し、MCEクエリ応答を第１のeMBMS処理ネットワーク要素201に送信する。MCEクエリ応答はMCE情報を含む。
【０１０２】
S604．第１のeMBMS処理ネットワーク要素201は、MCE情報に対応するMCE207にeMBMSベアラ機能クエリ要求を送信する。eMBMSベアラ機能クエリ要求は、eMBMSベアラによって必要とされるQoSを含む。
【０１０３】
S605．MCE207は、eMBMSベアラ機能クエリ要求に従ってeMBMSベアラ機能クエリ応答を生成し、eMBMSベアラ機能クエリ応答を第１のeMBMS処理ネットワーク要素201に送信する。eMBMSベアラ機能クエリ応答は、アクセスネットワークがeMBMSベアラによって必要とされるQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。
【０１０４】
S606．第１のeMBMS処理ネットワーク要素201が、eMBMSベアラ機能クエリ応答をアプリケーションサーバ203に送信する。又は、第１のeMBMS処理ネットワーク要素201が、オープンプラットフォーム204を用いて、eMBMSベアラ機能クエリ応答をアプリケーションサーバ203に送信する。
【０１０５】
S607．eMBMSベアラ機能クエリ応答が成功情報を含む場合、第１のeMBMS処理ネットワーク要素201が、アプリケーションサーバ203からeMBMSベアラ申請要求を取得する。又は、第１のeMBMS処理ネットワーク要素201が、アプリケーションサーバ203から、オープンプラットフォーム204を用いて、eMBMSベアラ申請要求を取得する。
【０１０６】
S608〜S612は、S508〜S512と同様である。
【０１０７】
S613．第１のeMBMS処理ネットワーク要素201が、アプリケーションサーバ203にeMBMSベアラ申請応答を送信する。又は、第１のeMBMS処理ネットワーク要素201が、オープンプラットフォーム204を用いて、アプリケーションサーバ203にeMBMSベアラ申請応答を送信する。
【０１０８】
S614〜S622は、S514〜S522と同様である。
【０１０９】
本発明は更に、第４の実施形態のeMBMSブロードキャスト方法を提供する。本eMBMSブロードキャスト方法は、第４の実施形態で開示される通信システムに基づいて説明される。図７に示されるように、本実施形態に開示されるeMBMSブロードキャスト方法は、以下のステップを含む。
【０１１０】
S701．オープンプラットフォーム204が、アプリケーションサーバ203からeMBMSベアラ申請要求を取得する。eMBMSベアラ申請要求は、ブロードキャストエリアと、eMBMSベアラのサービス品質（QoS）情報とを含む。
【０１１１】
S702〜S705は、S502〜S505と同様である。
【０１１２】
S706．eMBMSベアラ機能クエリ応答が失敗情報を含む場合、オープンプラットフォーム204が、eMBMSベアラ申請失敗情報をアプリケーションサーバ203に送信し、フローが終了する。
【０１１３】
S707．eMBMSベアラ機能クエリ応答が成功情報を含む場合、第１のeMBMS処理ネットワーク要素201が、オープンプラットフォーム204からeMBMSベアラ申請要求を取得する。
【０１１４】
S708〜S722は、S508〜S522と同様である。
【０１１５】
本発明は更に、第５の実施形態のeMBMSブロードキャスト方法を提供する。本eMBMSブロードキャスト方法は、第５の実施形態で開示される通信システムに基づいて説明される。図８に示されるように、本実施形態に開示されるeMBMSブロードキャスト方法は、以下のステップを含む。
【０１１６】
S801．第１のeMBMS処理ネットワーク要素201が、アプリケーションサーバ203からeMBMSベアラ申請要求を取得する。又は、第１のeMBMS処理ネットワーク要素201が、アプリケーションサーバ203から、オープンプラットフォーム204を用いて、eMBMSベアラ申請要求を取得する。eMBMSベアラ申請要求は、ブロードキャストエリアと、eMBMSベアラのサービス品質（QoS）情報とを含む。
【０１１７】
S802．第１のeMBMS処理ネットワーク要素201が、第２のeMBMS処理ネットワーク要素202にMCEクエリ要求を送信する。MCEクエリ要求は、eMBMSベアラ申請要求に含まれるブロードキャストエリアを含む。
【０１１８】
S803．第２のeMBMS処理ネットワーク要素202が、MCEクエリ要求に従ってMCEクエリ応答を生成し、第１のeMBMS処理ネットワーク要素201にMCEクエリ応答を送信する。MCEクエリ応答はMCE情報を含む。
【０１１９】
S804．第１のeMBMS処理ネットワーク要素201が、MCE情報に対応するMCE207にeMBMSベアラ機能クエリ要求を送信する。eMBMSベアラ機能クエリ要求は、eMBMSベアラによって必要とされるQoSを含む。
【０１２０】
S805．MCE207が、eMBMSベアラ機能クエリ要求に従ってeMBMSベアラ機能クエリ応答を生成し、eMBMSベアラ機能クエリ応答を第１のeMBMS処理ネットワーク要素201に送信する。eMBMSベアラ機能クエリ応答は、アクセスネットワークがeMBMSベアラによって必要とされるQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。
【０１２１】
S806．eMBMSベアラ機能クエリ応答が失敗情報を含む場合、第１のeMBMS処理ネットワーク要素201が、アプリケーションサーバ203にeMBMSベアラ申請失敗情報を送信する。又は、第１のeMBMS処理ネットワーク要素201が、オープンプラットフォーム204を用いて、アプリケーションサーバ203にeMBMSベアラ申請失敗情報を送信する。後続のフロー処理は終了する。
【０１２２】
S807．eMBMSベアラ機能クエリ応答が成功情報を含む場合、第１のeMBMS処理ネットワーク要素201が、ブロードキャストエリアを第２のeMBMS処理ネットワーク要素202に送信する。
【０１２３】
S808〜S821は、S509〜S522と同様である。
【０１２４】
従来技術のケースとは異なり、本発明では、第１のトランシーバは、構成サービスセンターからMBMS  SA構成情報を取得し、第１のプロセッサは、MBMS  SA構成情報に従って、ブロードキャストエリアのeMBMSセッションリソースを確立する。これにより、eMBMSブロードキャスト機構の下ではブロードキャストエリアを動的に生成することができないという問題を解決することができる。更に、eMBMS付加価値サービスの収益化処理を実現し、モバイルネットワークオペレータの収益を増加させるために、モバイルネットワークオペレータは、eMBMSブロードキャスト機能を第三者に開放することができる。
【０１２５】
実施方式の上述の説明から理解することができるように、当業者であれば、実施形態の方法の一部又は全部を、必要な汎用ハードウェアプラットフォームに加えてソフトウェアによって実現することができることを秋からに理解できるであろう。そのような理解に基づき、本発明の技術的解決策は本質的に、或いは従来技術に寄与する部分は、ソフトウェア製品の形態で実現されてよい。ソフトウェア製品は、ROM／RAM、磁気ディスク、光ディスク等の記憶媒体に記憶されてよく、コンピュータ装置（パーソナルコンピュータ、サーバ、又はメディアゲートウェイ等のネットワーク通信装置であってよい）に、本発明の実施形態又は本発明の実施形態の一部に記載された方法を実行するように命令するためのいくつかの命令を含む。
【０１２６】
留意すべきこととして、本明細書の実施形態は全て漸進的に説明され、実施形態における同じ又は類似の部分については、これらの実施形態を参照することができ、各実施形態は、他の実施形態との相違点に着目する。特に、装置及びシステムの実施形態は基本的に方法の実施形態に類似しているので、簡単に説明する。関連する部分については、方法の実施形態における部分的な説明を参照することができる。説明された装置及びシステムの実施形態は例示に過ぎない。別個の部品として説明されたユニットは、物理的に分離していてもいなくてもよく、ユニットとして表示される部品は、物理的ユニットであってもなくてもよく、１つの位置にあってもよいし、複数のネットワークユニットに分散されてもよい。モジュールの一部又は全部は、実施形態の解決策の目的を達成するために、実際の要件に応じて選択せれてよい。当業者は、創意工夫なしに本発明の実施形態を理解し、実現することができるであろう。
【０１２７】
以上の説明は、本発明の好ましい実施方式に過ぎず、本発明の保護範囲を限定するものではない。留意すべきこととして、当業者であれば、本願の原理から逸脱することなく特定の改良及び研磨を行うことができ、そのような改良及び研磨は本願の保護範囲に包含されるものとする。
【図１】
2017531385.tif 000003
【図２】
2017531385.tif 000004
【図３】
2017531385.tif 000005
【図４】
2017531385.tif 000006
【図５】
2017531385.tif 000007
【図６】
2017531385.tif 000008
【図７】
2017531385.tif 000009
【図８】
2017531385.tif 000010
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
進化型マルチメディアブロードキャスト／マルチキャストサービス（eMBMS）処理ネットワーク要素であって、第１のトランシーバ及び第１のプロセッサを備え、
前記第１のトランシーバは、アプリケーションサーバからeMBMSベアラ申請要求を受信し、前記eMBMSベアラ申請要求はブロードキャストエリア情報を含み、
前記第１のトランシーバは、前記ブロードキャストエリア情報を構成サービスセンターに送信し、前記構成サービスセンターにより前記ブロードキャストエリア情報に従って返されたマルチメディアブロードキャスト／マルチキャストサービスサービスエリア（MBMS  SA）構成情報を受信し、
前記第１のプロセッサは、前記MBMS  SA構成情報に従って、前記ブロードキャストエリア情報のeMBMSセッションリソースを確立する、
処理ネットワーク要素。
【請求項２】
前記第１のトランシーバが前記アプリケーションサーバから前記eMBMSベアラ申請要求を受信する前に、
前記第１のトランシーバは更に、前記アプリケーションサーバからeMBMSベアラ機能クエリを受信し、前記eMBMSベアラ機能クエリは、ブロードキャストエリアと、eMBMSベアラのサービス品質（QoS）情報とを含み、
前記第１のプロセッサは、前記ブロードキャストエリアに従ってマルチセル／マルチキャスト協調エンティティ（MCE）情報を取得し、
前記第１のトランシーバは、前記MCE情報に対応するMCEにeMBMSベアラ機能クエリ要求を送信し、
前記第１のトランシーバは、前記MCEからeMBMSベアラ機能クエリ応答を受信し、前記応答は、アクセスネットワークが前記eMBMSベアラによって必要とされるQoSを割り当てることができるか否かを前記MCEが決定した結果を含む、
請求項１に記載の処理ネットワーク要素。
【請求項３】
前記eMBMSベアラ申請要求は更に、eMBMSベアラのQoS情報を含み、前記第１のトランシーバが前記アプリケーションサーバから前記eMBMSベアラ申請要求を受信した後に、
前記第１のプロセッサは、前記ブロードキャストエリア情報に従ってMCE情報を取得し、
前記第１のトランシーバは、前記MCE情報に対応するMCEに前記eMBMSベアラ機能クエリ要求を送信し、
前記第１のトランシーバは、前記MCEから前記eMBMSベアラ機能クエリ応答を取得し、前記eMBMSベアラ機能クエリ応答は、アクセスネットワークがeMBMSベアラによって必要とされるQoSを割り当てることができるか否かを前記MCEが決定した結果を含む、
請求項１に記載の処理ネットワーク要素。
【請求項４】
前記第１のプロセッサが前記ブロードキャストエリア情報に従ってMCE情報を取得することは、
前記第１のトランシーバが、前記構成サービスセンターにMCEクエリ要求を送信するステップであって、それにより前記構成サービスセンターは、前記MCEクエリ要求に従ってMCEクエリ応答を生成することができる、ステップと、
前記第１のトランシーバが、前記構成サービスセンターから前記MCEクエリ応答を取得するステップであって、前記MCEクエリ応答は前記MCE情報を含む、ステップと、
を含む、請求項２又は３に記載の処理ネットワーク要素。
【請求項５】
前記eMBMSベアラ機能クエリ応答が、前記アプリケーションサーバによって要求されたeMBMSベアラ機能が割り当てられないという結果を含む場合、前記第１のトランシーバは、前記アプリケーションサーバにeMBMSベアラ申請失敗情報を送信する、
請求項２又は３に記載の処理ネットワーク要素。
【請求項６】
eMBMSブロードキャスト方法であって、
第１の処理ネットワーク要素が、アプリケーションサーバからeMBMSベアラ申請要求を受信するステップであって、前記eMBMSベアラ申請要求はブロードキャストエリア情報を含む、ステップと、
前記ブロードキャストエリア情報を構成サービスセンターに送信するステップと、
前記構成サービスセンターにより前記ブロードキャストエリア情報に従って返されたMBMS  SA構成情報を受信するステップと、
前記MBMS  SA構成情報に従って、前記ブロードキャストエリア情報のeMBMSセッションリソースを確立するステップと、
を含む方法。
【請求項７】
前記MBMS  SA構成情報に従って、前記ブロードキャストエリア情報のeMBMSセッションリソースを確立する前記ステップは、
前記MBMS  SA構成情報に従ってセッション開始手順を開始し、前記セッション開始手順に従って、前記ブロードキャストエリア情報の前記eMBMSセッションリソースを確立するステップ、
を含む、請求項６に記載の方法。
【請求項８】
第１の処理ネットワーク要素がアプリケーションサーバからeMBMSベアラ申請要求を受信する前記ステップの前に、
前記アプリケーションサーバからeMBMSベアラ機能クエリを受信するステップであって、前記eMBMSベアラ機能クエリは、ブロードキャストエリアと、eMBMSベアラのサービス品質（QoS）情報とを含む、ステップと、
前記ブロードキャストエリアに従ってMCE情報を取得するステップと、
前記MCE情報に対応するMCEにeMBMSベアラ機能クエリ要求を送信するステップと、
前記MCEによって返されたeMBMSベアラ機能クエリ応答を受信するステップであって、前記応答は、アクセスネットワークが前記eMBMSベアラのサービス品質（QoS）を割り当てることができるか否かを前記MCEが決定した結果を含む、ステップと、
を更に含む、請求項６に記載の方法。
【請求項９】
前記eMBMSベアラ申請要求は更に、eMBMSベアラのサービス品質（QoS）情報を含み、
第１の処理ネットワーク要素がアプリケーションサーバからeMBMSベアラ申請要求を受信する前記ステップの後に、
前記ブロードキャストエリア情報に従ってMCE情報を取得するステップと、
前記MCE情報に対応するMCEに前記eMBMSベアラ機能クエリ要求を送信するステップと、
前記MCEからeMBMSベアラ機能クエリ応答を取得するステップであって、前記eMBMSベアラ機能クエリ応答は、アクセスネットワークが前記eMBMSベアラのサービス品質（QoS）を割り当てることができるか否かを前記MCEが決定した結果を含む、ステップと、
を更に含む、請求項６に記載の方法。
【請求項１０】
前記ブロードキャストエリア情報に従ってMCE情報を取得する前記ステップは、
前記構成サービスセンターにMCEクエリ要求を送信するステップであって、それにより前記構成サービスセンターは、前記MCEクエリ要求に従ってMCEクエリ応答を生成することができる、ステップと、
前記構成サービスセンターから前記MCEクエリ応答を取得するステップであって、前記MCEクエリ応答は前記MCE情報を含む、ステップと、
を含む、請求項８又は９に記載の方法。
【請求項１１】
前記eMBMSベアラ機能クエリ応答が、前記アプリケーションサーバによって要求されたeMBMSベアラ機能が割り当てられないという結果を含む場合、前記アプリケーションサーバにeMBMSベアラ申請失敗情報が送信される、
請求項８又は９に記載の方法。
【請求項１２】
eMBMSブロードキャスト方法であって、
BM-SCによって送信されたeMBMSベアラ申請要求のブロードキャストエリア情報を受信するステップと、
前記ブロードキャストエリア情報に従ってMBMS  SA構成情報を取得するステップと、
前記MBMS  SA構成情報を前記BM-SCに送信するステップであって、前記MBMS  SA構成情報は、前記ブロードキャストエリア情報のeMBMSセッションリソースの確立に用いられる、ステップと、
を含む方法。
【請求項１３】
前記ブロードキャストエリア情報に従ってMBMS  SA構成情報を取得する前記ステップは、
前記ブロードキャストエリア情報をCell  List情報に変換するステップと、
前記Cell  List情報に従ってMBMS  SA構成情報テーブルにクエリを行うことにより、前記MBMS  SA構成情報を取得するステップか、又は前記Cell  List情報に従って前記MBMS  SA構成情報を生成するステップと、
を含む、請求項１２に記載の方法。
【請求項１４】
前記Cell  List情報に従ってMBMS  SA構成情報テーブルにクエリを行うことにより、前記MBMS  SA構成情報を取得する前記ステップは、
前記Cell  List情報に対応する前記MBMS  SA構成情報テーブルがあるか否かを決定するステップと、
前記Cell  List情報に対応する前記MBMS  SA構成情報テーブルがある場合、前記MBMS  SA構成情報テーブルが前記Cell  List情報と対応していると決定するステップであって、前記MBMS  SA構成情報テーブルは前記MBMS  SA構成情報を含み、前記MBMS  SA構成情報は、SAI情報、及び、制御プレーンネットワーク要素List情報とMCE  ListとMBSFN  Area識別子とCell  Listとのうち少なくとも１つのタイプの情報を含み、前記制御プレーンネットワーク要素List情報はMME  List情報又はSGSN  List情報を含む、ステップと、
前記MBMS  SA構成情報テーブルから前記MBMS  SA構成情報を取得するステップと、
を含む、請求項１３に記載の方法。
【請求項１５】
前記Cell  List情報に従って前記MBMS  SA構成情報を生成する前記ステップは、
SAI情報を生成するステップと、
前記Cell  List情報に従ってCell情報テーブルにクエリを行い、対応する制御プレーンネットワーク要素List情報とMCE  List情報とのうち少なくとも１つのタイプの情報を取得するステップと、
MBMS  SA構成情報テーブルを生成するステップであって、前記MBMS  SA構成情報テーブルは、生成された前記SAI情報と、前記クエリから取得された前記制御プレーンネットワーク要素List情報とMCE  ListとCell  Listとのうち少なくとも１つのタイプの情報とを含み、前記制御プレーンネットワーク要素List情報はMME  List情報又はSGSN  List情報を含む、ステップと、
前記MBMS  SA構成情報テーブルから前記MBMS  SA構成情報を取得するステップと、
を含む、請求項１３に記載の方法。
【請求項１６】
前記MBMS  SA構成情報テーブルからMCE構成情報を取得するステップ、又は、前記ブロードキャストエリア情報に従って前記MCE構成情報を生成するステップであって、前記MCE構成情報は前記SAI情報及び前記MCE  List情報を含む、ステップと、
前記MCE構成情報を制御プレーンネットワーク要素に送信するステップと、
を更に含む、請求項１４又は１５に記載の方法。
【請求項１７】
前記MBMS  SA構成情報テーブルからMBSFN  Area構成情報を取得するステップ、又は、前記ブロードキャストエリア情報に従って前記MBSFN  Area構成情報を生成するステップであって、前記MBSFN  Area構成情報は、前記SAI情報、前記MBSFN  Area識別子及び前記Cell  Listを含む、ステップと、
前記MBSFN  Area構成情報をMCEに送信するステップと、
を更に含む、請求項１４又は１５に記載の方法。
【請求項１８】
前記MBMS  SA構成情報テーブルからCell構成情報を取得するか、又は、前記ブロードキャストエリア情報に従って前記Cell構成情報を生成するステップであって、前記Cell構成情報はCell  ID及び前記SAI情報を含む、ステップと、
前記Cell構成情報を基地局に送信するステップと、
を更に含む、請求項１４又は１５に記載の方法。
【請求項１９】
BM-SCによって送信されたeMBMSベアラ申請要求のブロードキャストエリア情報を受信する前記ステップの前に、
オープンプラットフォーム又は前記BM-SCからMCEクエリ要求を取得するステップであって、前記MCEクエリ要求はブロードキャストエリアを含む、ステップと、
前記クエリ要求の前記ブロードキャストエリアに従ってMCEクエリ応答を生成するステップであって、前記MCEクエリ応答はMCE情報を含む、ステップと、
前記MCEクエリ応答を前記オープンプラットフォーム又は前記BM-SCに送信するステップであって、それにより前記オープンプラットフォーム又は前記BM-SCは、前記MCEにeMBMSベアラ機能クエリ要求を送信し、前記MCEからeMBMSベアラ機能クエリ応答を取得することができ、前記eMBMSベアラ機能クエリ応答は、アクセスネットワークがeMBMSベアラによって必要とされるQoSを割り当てることができるか否かを前記MCEが決定した結果を含む、ステップと、
を更に含む、請求項１２に記載の方法。
【請求項２０】
前記BM-SCから前記eMBMSベアラ申請要求の前記ブロードキャストエリア情報が取得された後に、
オープンプラットフォーム又は前記BM-SCからMCEクエリ要求を取得するステップであって、前記MCEクエリ要求は前記ブロードキャストエリア情報を含む、ステップと、
前記クエリ要求の前記ブロードキャストエリア情報に従ってMCEクエリ応答を生成するステップであって、前記MCEクエリ応答はMCE情報を含む、ステップと、
前記MCE情報を前記オープンプラットフォーム又は前記BM-SCに送信するステップであって、それにより前記オープンプラットフォーム又は前記BM-SCは、前記MCEにeMBMSベアラ機能クエリ要求を送信し、前記MCEからeMBMSベアラ機能クエリ応答を取得することができ、前記eMBMSベアラ機能クエリ応答は、アクセスネットワークがeMBMSベアラによって必要とされるQoSを割り当てることができるか否かを前記MCEが決定した結果を含む、ステップと、
を更に含む、請求項１２に記載の方法。
【手続補正２】
【補正対象書類名】明細書
【補正対象項目名】全文
【補正方法】変更
【補正の内容】
【発明の詳細な説明】
【技術分野】
【０００１】
本発明は通信技術分野に関し、特に、進化型マルチメディアブロードキャスト／マルチキャストサービス処理ネットワーク要素及び進化型マルチメディアブロードキャスト／マルチキャストサービスブロードキャスト方法に関する。
【背景技術】
【０００２】
図１に示されるように、既存の第３世代パートナーシッププロジェクト（3rd  Generation  Partnership  Project，3GPP）の進化型マルチメディアブロードキャスト／マルチキャストサービス（Evolved  Multimedia  Broadcast／Multicast  Service，eMBMS）システムアーキテクチャ10は、ブロードキャスト／マルチキャストサービスセンター（Broadcast／Multicast  Service  Center，BM-SC）101、マルチメディアブロードキャスト／マルチキャストサービスゲートウェイ（Multimedia  Broadcast／Multicast  Service  Gateway，MBMS  GW）102、モビリティ管理エンティティ（Mobility  Management  Entity，MME）103、サービング汎用パケット無線サービスサポートノード（Serving  GPRS  Support  Node，SGSN）104、マルチセル／マルチキャスト協調エンティティ（Multi-cell／Multicast  Coordination  Entity，MCE）105、アクセスネットワーク106及びアプリケーションサーバ（Application  Server）107を含む。BM-SC101は、MBMSユーザサービスを提供し、MBMSユーザサービスの伝送を管理するように構成される。MBMS  GW102は、BM-SC101とMME103との間、又はBM-SC101とSGSN104との間でシグナリングを転送するように構成される。MME103又はSGSN104は、MBMSベアラサービスのセッション制御シグナリングを受信し、それをアクセスネットワーク106に送信して、アクセスネットワーク106のマルチメディアブロードキャストマルチキャストサービス単一周波数ネットワーク（Multimedia  Broadcast  multicast  service  Single  Frequency  Network，MBSFN）無線リソースを割り当てる。アクセスネットワーク106は、ユニバーサル地上無線アクセスネットワーク（Evolved  Universal  Terrestrial  Radio  Access  Network，E-UTRAN）及び進化型ユニバーサル地上無線アクセスネットワーク（Universal  Terrestrial  Radio  Access  Network，UTRAN）を含む。アクセスネットワーク106は、指定されたMBMSサービスエリアにMBMSサービスデータを送信するように構成される。アプリケーションサーバ107は、MBMSサービスのコンテンツを提供するように構成される。
【０００３】
従来技術では、eMBMSシステムアーキテクチャ10によって用いられる構成メカニズムは、ブロードキャストエリアに対応するMBMSサービスエリア（Service  Area，SA）構成情報をBM-SC101において静的に構成することと、MBMS  SAに対応するMCE構成情報をMME103において静的に構成することと、MBMS  SAに対応するMBSFN  Area構成情報をMCE105において静的に構成することと、MBMS  SAに対応するCell構成情報をアクセスネットワーク106において静的に構成することと、を含む。アプリケーションサーバ107の要求は動的要求であり、アプリケーションサーバ107によって要求されるブロードキャスト／マルチキャストエリアに対応するMBMS  SA等の構成情報は、システムアーキテクチャ10において予め静的に生成することができない。したがって、既存のシステムアーキテクチャ10では、eMBMSブロードキャスト機構においてブロードキャスト／マルチキャストエリアを動的に生成することができない。
【発明の概要】
【０００４】
これに鑑みて、本発明は、eMBMS機能開放機構の下でブロードキャストエリアを動的に生成するために、進化型マルチメディアブロードキャスト／マルチキャストサービス処理ネットワーク要素及び進化型マルチメディアブロードキャスト／マルチキャストサービスブロードキャスト方法を提供する。
【０００５】
第１の態様は、eMBMS処理ネットワーク要素を提供する。本eMBMS処理ネットワーク要素は、第１のトランシーバ及び第１のプロセッサを備える。第１のトランシーバは、アプリケーションサーバからeMBMSベアラ申請要求を受信する。eMBMSベアラ申請要求はブロードキャストエリア情報を含む。第１のトランシーバは、ブロードキャストエリア情報を構成サービスセンターに送信し、構成サービスセンターによりブロードキャストエリア情報に従って返されたマルチメディアブロードキャスト／マルチキャストサービスサービスエリア（MBMS  SA）構成情報を受信する。第１のプロセッサは、MBMS  SA構成情報に従って、ブロードキャストエリア情報のeMBMSセッションリソースを確立する。
【０００６】
第１の態様の実施方式に関して、第１の可能な実施方式では、第１のトランシーバは、オープンプラットフォームを用いて、アプリケーションサーバからeMBMSベアラ申請要求を受信する。
【０００７】
第１の態様の実施方式に関して、第２の可能な実施方式では、第１のプロセッサが、MBMS  SA構成情報に従って、ブロードキャストエリア情報のeMBMSセッションリソースを確立することは、第１の処理ユニットが、MBMS  SA構成情報に従ってセッション開始手順を開始し、セッション開始手順に従って、ブロードキャストエリア情報のeMBMSセッションリソースを確立すること、を含む。
【０００８】
第１の態様の実施方式に関して、第３の可能な実施方式では、第１のトランシーバがアプリケーションサーバからeMBMSベアラ申請要求を受信する前に、第１のトランシーバは更に、アプリケーションサーバからeMBMSベアラ機能クエリを受信する。eMBMSベアラ機能クエリは、ブロードキャストエリアと、eMBMSベアラのサービス品質（QoS）情報とを含む。第１のプロセッサは、ブロードキャストエリアに従ってマルチセル／マルチキャスト協調エンティティ（MCE）情報を取得する。第１のトランシーバは、MCE情報に対応するMCEにeMBMSベアラ機能クエリ要求を送信する。第１のトランシーバは、MCEからeMBMSベアラ機能クエリ応答を受信する。応答は、アクセスネットワークがeMBMSベアラによって要求されたQoSを割り当てることができるか否かをMCEが決定した結果を含む。
【０００９】
第１の態様の実施方式に関して、第４の可能な実施方式では、eMBMSベアラ申請要求は更に、eMBMSのQoS情報を含む。第１のトランシーバがアプリケーションサーバからeMBMSベアラ申請要求を受信した後に、第１のプロセッサは、ブロードキャストエリア情報に従ってMCE情報を取得する。第１のトランシーバは、MCE情報に対応するMCEにeMBMSベアラ機能クエリ要求を送信する。第１のトランシーバは、MCEからeMBMSベアラ機能クエリ応答を取得する。eMBMSベアラ機能クエリ応答は、アクセスネットワークがeMBMSベアラによって必要とされるQoSを割り当てることができるか否かをMCEが決定した結果を含む。
【００１０】
第１の態様の第３の可能な実施方式又は第４の可能な実施方式に関して、第５の可能な実施方式では、第１のプロセッサがブロードキャストエリア情報に従ってMCE情報を取得することは、第１のトランシーバが、構成サービスセンターにMCEクエリ要求を送信することであって、それにより構成サービスセンターは、MCEクエリ要求に従ってMCEクエリ応答を生成することができることと、第１のトランシーバが、構成サービスセンターからMCEクエリ応答を取得することであって、MCEクエリ応答はMCE情報を含むことと、を含む。
【００１１】
第１の態様の第３の可能な実施方式又は第４の可能な実施方式に関して、第６の可能な実施方式では、eMBMSベアラ機能クエリ応答がアプリケーションサーバによって要求されたeMBMSベアラ機能が割り当てられないという結果を含む場合、第１のトランシーバは、アプリケーションサーバにeMBMSベアラ申請失敗情報を送信する。
【００１２】
第１の態様〜第６の可能な実施方式に関して、第７の可能な実施方式では、構成サービスセンターは、構成サーバ又はオペレーション・サポート・システム（OSS）である。
【００１３】
第２の態様は、eMBMSブロードキャスト方法を提供する。本eMBMSブロードキャスト方法は、アプリケーションサーバからeMBMSベアラ申請要求を受信するステップであって、eMBMSベアラ申請要求はブロードキャストエリア情報を含む、ステップと、ブロードキャストエリア情報を構成サービスセンターに送信するステップと、構成サービスセンターによりブロードキャストエリア情報に従って返されたMBMS  SA構成情報を受信するステップと、MBMS  SA構成情報に従って、ブロードキャストエリア情報のeMBMSセッションリソースを確立するステップと、を含む。
【００１４】
第２の態様の実施方式に関して、第１の可能な実施方式では、アプリケーションサーバからeMBMSベアラ申請要求を取得するステップは、アプリケーションサーバから、オープンプラットフォームを用いて、eMBMSベアラ申請要求を受信するステップ、を含む。
【００１５】
第２の態様の実施方式に関して、第２の可能な実施方式では、MBMS  SA構成情報に従って、ブロードキャストエリア情報のeMBMSセッションリソースを確立するステップは、MBMS  SA構成情報に従ってセッション開始手順を開始し、セッション開始手順に従って、ブロードキャストエリア情報のeMBMSセッションリソースを確立するステップ、を含む。
【００１６】
第２の態様の実施方式に関して、第３の可能な実施方式では、第１の処理ネットワーク要素がアプリケーションサーバからeMBMSベアラ申請要求を受信するステップの前に、本方法は更に、アプリケーションサーバからeMBMSベアラ機能クエリを受信するステップであって、eMBMSベアラ機能クエリはブロードキャストエリアとeMBMSベアラのQoS情報とを含む、ステップと、ブロードキャストエリアに従ってMCE情報を取得するステップと、MCE情報に対応するMCEにeMBMSベアラ機能クエリ要求を送信するステップと、MCEによって返されたeMBMSベアラ機能クエリ応答を受信するステップであって、応答は、アクセスネットワークがeMBMSベアラによって要求されたQoSを割り当てることができるか否かをMCEが決定した結果を含む、ステップと、を含む。
【００１７】
第２の態様の実施方式に関して、第４の可能な実施方式では、eMBMSベアラ申請要求は更に、eMBMSベアラのQoS情報を含む。第１の処理ネットワーク要素がアプリケーションサーバからeMBMSベアラ申請要求を受信するステップの後に、本方法は更に、ブロードキャストエリア情報に従ってMCE情報を取得するステップと、MCE情報に対応するMCEにeMBMSベアラ機能クエリ要求を送信するステップと、MCEからeMBMSベアラ機能クエリ応答を取得するステップであって、eMBMSベアラ機能クエリ応答は、アクセスネットワークがeMBMSベアラによって要求されたQoSを割り当てることができるか否かをMCEが決定した結果を含む、ステップと、を含む。
【００１８】
第２の態様の第３の可能な実施方式又は第４の可能な実施方式に関して、第５の可能な実施方式では、ブロードキャストエリア情報に従ってMCE情報を取得するステップは、構成サービスセンターにMCEクエリ要求を送信するステップであって、それにより構成サービスセンターは、MCEクエリ要求に従ってMCEクエリ応答を生成することができる、ステップと、構成サービスセンターからMCEクエリ応答を取得するステップであって、MCEクエリ応答はMCE情報を含む、ステップと、を含む。
【００１９】
第２の態様の第３の可能な実施方式又は第４の可能な実施方式に関して、第６の可能な実施方式では、eMBMSベアラ機能クエリ応答がアプリケーションサーバによって要求されたeMBMSベアラ機能が割り当てられないという結果を含む場合、アプリケーションサーバにeMBMSベアラ申請失敗情報が送信される。
【００２０】
第２の態様〜第６の可能な実施方式に関して、第７の可能な実施方式では、構成サービスセンターは構成サーバ又はOSSである。
【００２１】
第３の態様は、eMBMS処理ネットワーク要素を提供する。本eMBMS処理ネットワーク要素は、第２のトランシーバ及び第２のプロセッサを備える。第２のトランシーバは、ブロードキャスト／マルチキャストサービスセンター（BM-SC）によって送信されたeMBMSベアラ申請要求のブロードキャストエリア情報を受信する。第２のプロセッサは、ブロードキャストエリア情報に従ってMBMS  SA構成情報を取得する。第２のトランシーバは、MBMS  SA構成情報をBM-SCに送信する。MBMS  SA構成情報は、ブロードキャストエリア情報のeMBMSセッションリソースの確立に用いられる。
【００２２】
第３の態様の実施方式に関して、第１の可能な実施方式では、第２のプロセッサは、ブロードキャストエリア情報に従ってMBMS  SA構成情報を取得することは、第２のプロセッサが、ブロードキャストエリア情報をCell  List情報に変換することと、第２のプロセッサが、Cell  List情報に従ってMBMS  SA構成情報テーブルにクエリを行うことにより、MBMS  SA構成情報を取得すること、又は第２のプロセッサが、Cell  List情報に従ってMBMS  SA構成情報を生成することと、を含む。
【００２３】
第３の態様の第１の可能な実施方式に関して、第２の可能な実施方式では、第２のプロセッサが、Cell  List情報に従ってMBMS  SA構成情報テーブルにクエリを行うことにより、MBMS  SA構成情報を取得することは、第２のプロセッサが、Cell  List情報に対応するMBMS  SA構成情報テーブルがあるか否かを決定することであって、MBMS  SA構成情報テーブルはMBMS  SA構成情報を含み、MBMS  SA構成情報は、SAI情報と、制御プレーンネットワーク要素List情報とMCE  ListとMBSFN  Area識別子とCell  Listとのうち少なくとも１つのタイプの情報とを含み、制御プレーンネットワーク要素List情報はMME  List情報又はSGSN  List情報を含むことと、Cell  List情報に対応するMBMS  SA構成情報テーブルがある場合、第２のプロセッサが、MBMS  SA構成情報テーブルからMBMS  SA構成情報を取得することと、を含む。
【００２４】
第３の態様の第１の可能な実施方式に関して、第３の可能な実施方式では、第２のプロセッサが、Cell  List情報に従ってMBMS  SA構成情報を生成することは、第２のプロセッサが、SAI情報を生成することと、第２のプロセッサが、Cell  List情報に従ってCell情報テーブルにクエリを行って、対応する制御プレーンネットワーク要素List情報と対応するMCE  List情報とのうち少なくとも１つのタイプの情報を取得することと、第２のプロセッサが、MBMS  SA構成情報テーブルを生成することであって、MBMS  SA構成情報テーブルはMBMS  SA構成情報を含み、MBMS  SA構成情報は、生成されたSAI情報と、クエリから取得された制御プレーンネットワーク要素List情報とMCE  ListとCell  Listとのうち少なくとも１つのタイプの情報とを含み、制御プレーンネットワーク要素List情報はMME  List情報又はSGSN  List情報を含むことと、第２のプロセッサが、MBMS  SA構成情報テーブルからMBMS  SA構成情報を取得することと、を含む。
【００２５】
第３の態様の第３の可能な実施方式に関して、第４の可能な実施方式では、第２のプロセッサは、MBMS  SA構成情報テーブルからMCE構成情報を取得するか、又はブロードキャストエリア情報に従ってMCE構成情報を生成する。MCE構成情報は生成されたSAI情報とMCE  List情報とを含む。第２のトランシーバは、MCE構成情報を制御プレーンネットワーク要素に送信する。
【００２６】
第３の態様の第３の可能な実施方式又は第４の可能な実施方式に関して、第５の可能な実施方式では、第２のプロセッサは、MBMS  SA構成情報テーブルからMBSFN  Area構成情報を取得するか、又はブロードキャストエリア情報に従ってMBSFN  Area構成情報を生成する。MBSFN  Area構成情報は、SAI情報、MBSFN  Area識別子及びCell  Listを含む。第２のトランシーバは、MBSFN  Area構成情報をMCEに送信する。
【００２７】
第３の態様の第３の可能な実施方式又は第４の可能な実施方式又は第５の可能な実施方式に関して、第６の可能な実施方式では、第２のプロセッサは、MBMS  SA構成情報テーブルからCell構成情報を取得するか、又はブロードキャストエリア情報に従ってCell構成情報を生成する。Cell構成情報はCell  ID及びSAI情報を含む。第２のトランシーバは、Cell構成情報を基地局に送信する。
【００２８】
第３の態様に実施方式に関して、第７の可能な実施方式では、第２のトランシーバがブロードキャスト／マルチキャストサービスセンター（BM-SC）によって送信されたeMBMSベアラ申請要求のブロードキャストエリア情報を受信する前に、第２のトランシーバは、オープンプラットフォーム又はBM-SCからMCEクエリ要求を取得する。MCEクエリ要求はブロードキャストエリアを含む。第２のプロセッサは、クエリ要求のブロードキャストエリアに従ってMCEクエリ応答を生成する。MCEクエリ応答はMCE情報を含む。第２のトランシーバは、オープンプラットフォーム又はBM-SCにMCEクエリ応答を送信し、それによりオープンプラットフォーム又はBM-SCは、eMBMSベアラ機能クエリ要求をMCEに送信し、MCEからeMBMSベアラ機能クエリ応答を取得することができる。eMBMSベアラ機能クエリ応答は、アクセスネットワークがeMBMSベアラによって必要とされるQoSを割り当てることができるか否かをMCEが決定した結果を含む。
【００２９】
第３の態様の実施方式に関して、第８の可能な実施方式では、第２のトランシーバがブロードキャスト／マルチキャストサービスセンター（BM-SC）によって送信されたeMBMSベアラ申請要求のブロードキャストエリア情報を受信した後、第２のトランシーバは、オープンプラットフォーム又はBM-SCからMCEクエリ要求を取得する。MCEクエリ要求はブロードキャストエリア情報を含む。第２のプロセッサは、クエリ要求のブロードキャストエリア情報に従ってMCEクエリ応答を生成する。MCEクエリ応答はMCE情報を含む。第２のトランシーバは、MCE情報をオープンプラットフォーム又はBM-SCに送信し、それによりオープンプラットフォーム又はBM-SCは、eMBMSベアラ機能クエリ要求をMCEに送信し、MCEからeMBMSベアラ機能クエリ応答を取得することができる。eMBMSベアラ機能クエリ応答は、アクセスネットワークがeMBMSベアラによって必要とされるQoSを割り当てることができるか否かをMCEが決定した結果を含む。
【００３０】
第３の態様〜第７の可能な実施方式に関して、第９の可能な実施方式では、構成サービスセンターは構成サーバ又はOSSであり、制御プレーンネットワーク要素は、モビリティ管理エンティティ（MME）又はサービング汎用パケット無線サービスサポートノード（SGSN）である。
【００３１】
第４の態様は、eMBMSブロードキャスト方法を提供する。本eMBMS方法は、BM-SCによって送信されたeMBMSベアラ申請要求のブロードキャストエリア情報を受信するステップと、ブロードキャストエリア情報に従ってMBMS  SA構成情報を取得するステップと、MBMS  SA構成情報をBM-SCに送信するステップであって、MBMS  SA構成情報は、ブロードキャストエリア情報のeMBMSセッションリソースの確立に用いられる、ステップと、を含む。
【００３２】
第４の態様の実施方式に関して、第１の可能な実施方式では、ブロードキャストエリア情報に従ってMBMS  SA構成情報を取得するステップは、ブロードキャストエリア情報をCell  List情報に変換するステップと、Cell  List情報に従ってMBMS  SA構成情報テーブルにクエリを行うことにより、MBMS  SA構成情報を取得するステップ、又はCell  List情報に従ってMBMS  SA構成情報を生成するステップと、を含む。
【００３３】
第４の態様の第１の可能な実施方式に関して、第２の可能な実施方式では、Cell  List情報に従ってMBMS  SA構成情報テーブルにクエリを行うことにより、MBMS  SA構成情報を取得するステップは、Cell  List情報に対応するMBMS  SA構成情報テーブルがあるか否かを決定するステップであって、MBMS  SA構成情報テーブルはMBMS  SA構成情報を含み、MBMS  SA構成情報は、SAI情報と、制御プレーンネットワーク要素List情報とMCE  ListとMBSFN  Area識別子とCell  Listとのうち少なくとも１つのタイプの情報とを含み、制御プレーンネットワーク要素List情報はMME  List情報又はSGSN  List情報を含む、ステップと、Cell  List情報に対応するMBMS  SA構成情報テーブルがある場合、MBMS  SA構成情報テーブルからMBMS  SA構成情報を取得するステップと、を含む。
【００３４】
第４の態様の第１の可能な実施方式に関して、第３の可能な実施方式では、Cell  List情報に従ってMBMS  SA構成情報を生成するステップは、SAI情報を生成するステップと、Cell  List情報に従ってCell情報テーブルにクエリを行って、対応する制御プレーンネットワーク要素List情報と対応するMCE  List情報とのうち少なくとも１つのタイプの情報を取得するステップと、MBMS  SA構成情報テーブルを生成するステップであって、MBMS  SA構成情報テーブルはMBMS  SA構成情報を含み、MBMS  SA構成情報は、生成されたSAI情報と、クエリから取得された制御プレーンネットワーク要素List情報とMCE  ListとCell  Listとのうち少なくとも１つのタイプの情報とを含み、制御プレーンネットワーク要素List情報はMME  List情報又はSGSN  List情報を含む、ステップと、MBMS  SA構成情報テーブルからMBMS  SA構成情報を取得するステップと、を含む。
【００３５】
第４の態様の第３の可能な実施方式に関して、第４の可能な実施方式では、本方法は更に、MBMS  SA構成情報テーブルからMCE構成情報を取得するステップ、又はブロードキャストエリア情報に従ってMCE構成情報を生成するステップであって、MCE構成情報は生成されたSAI情報とMCE  List情報とを含む、ステップと、MCE構成情報を制御プレーンネットワーク要素に送信するステップと、を含む。
【００３６】
第４の態様の第３の可能な実施方式又は第４の可能な実施方式に関して、第５の可能な実施方式では、本方法は更に、MBMS  SA構成情報テーブルからMBSFN  Area構成情報を取得するステップ、又はブロードキャストエリア情報に従ってMBSFN  Area構成情報を生成するステップであって、MBSFN  Area構成情報は、SAI情報、MBSFN  Area識別子及びCell  Listを含む、ステップと、MBSFN  Area構成情報をMCEに送信するステップと、を含む。
【００３７】
第４の態様の第３の可能な実施方式又は第４の可能な実施方式又は第５の可能な実施方式に関して、第６の可能な実施方式では、本方法は更に、MBMS  SA構成情報テーブルからCell構成情報を取得するステップ、又はブロードキャストエリア情報に従ってCell構成情報を生成するステップであって、Cell構成情報はCell  ID及びSAI情報を含む、ステップと、Cell構成情報を基地局に送信するステップと、を含む。
【００３８】
第４の態様の実施方式に関して、第７の可能な実施方式では、BM-SCからeMBMSベアラ申請要求のブロードキャストエリア情報が取得される前に、本方法は更に、オープンプラットフォーム又はBM−SCからMCEクエリ要求を取得するステップであって、MCEクエリ要求はブロードキャストエリアを含む、ステップと、クエリ要求のブロードキャストエリアに従ってMCEクエリ応答を生成するステップであって、MCEクエリ応答はMCE情報を含む、ステップと、MCEクエリ応答をオープンプラットフォーム又はBM-SCに送信するステップであって、それによりオープンプラットフォーム又はBM-SCは、eMBMSベアラ機能クエリ要求をMCEに送信し、MCEからeMBMSベアラ機能クエリ応答を取得することができ、eMBMSベアラ機能クエリ応答は、アクセスネットワークがeMBMSベアラによって必要とされるQoSを割り当てることができるか否かをMCEが決定した結果を含む、ステップと、を含む。
【００３９】
第４の態様の実施方式に関して、第８の可能な実施方式では、BM-SCからeMBMSベアラ申請要求のブロードキャストエリア情報が取得された後に、本方法は更に、オープンプラットフォーム又はBM-SCからMCEクエリ要求を取得するステップであって、MCEクエリ要求はブロードキャストエリアを含む、ステップと、クエリ要求のブロードキャストエリアに従ってMCEクエリ応答を生成するステップであって、MCEクエリ応答はMCE情報を含む、ステップと、MCE情報をオープンプラットフォーム又はBM-SCに送信するステップであって、それによりオープンプラットフォーム又はBM-SCは、eMBMSベアラ機能クエリ要求をMCEに送信し、MCEからeMBMSベアラ機能クエリ応答を取得することができ、eMBMSベアラ機能クエリ応答は、アクセスネットワークがeMBMSベアラによって必要とされるQoSを割り当てることができるか否かをMCEが決定した結果を含む、ステップと、を含む。
【００４０】
第４の態様〜第８の可能な実施方式に関して、第９の可能な実施方式では、構成サービスセンターは構成サーバ又はOSSであり、制御プレーンネットワーク要素はMME又はSGSNである。
【００４１】
第５の態様は、通信システムを提供する。本通信システムは、第１のeMBMS処理ネットワーク要素、第２のeMBMS処理ネットワーク要素及びアプリケーションサーバを備える。第１のeMBMS処理ネットワーク要素は、第１の態様〜第１の態様の第７の可能な実施方式のいずれか１つに係るeMBMS処理ネットワーク要素であり、第２のeMBMS処理ネットワーク要素は、第３の態様〜第３の態様の第９の可能な実施方式のいずれか１つに係るeMBMS処理ネットワーク要素である。
【００４２】
上述の解決策によれば、本発明の有益な効果は以下のとおりである。本発明では、eMBMS処理ネットワーク要素が、構成サービスセンターからMBMS  SA構成情報を取得し、eMBMS処理ネットワーク要素が、MBMS  SA構成情報に従って、ブロードキャストエリア情報のeMBMSセッションリソースを確立する。これにより、eMBMS機能解放機構の下ではブロードキャストエリアを動的に生成することができないという問題を解決することができる。
【図面の簡単な説明】
【００４３】
本発明の実施形態における技術的解決策をより明確に説明するために、以下、実施形態を説明するために必要な添付図面を簡潔に説明する。明らかながら、添付図面は以下の説明において、本発明の一部の実施形態を示すものに過ぎない。当業者であれば、これらの添付図面から創意工夫なく他の図面を更に導出できるであろう。
【図１】従来技術の進化型マルチメディアブロードキャスト／マルチキャストサービスシステムアーキテクチャの概略構造図である。
【図２】本発明の第１の実施形態に係る通信システムの概略構造図である。
【図３】本発明の第２の実施形態に係る通信システムの概略構造図である。
【図４】本発明の第１の実施形態に係るeMBMSブロードキャスト方法のフローチャートである。
【図５】本発明の第２の実施形態に係るeMBMSブロードキャスト方法のフローチャートである。
【図６】本発明の第３の実施形態に係るeMBMSブロードキャスト方法のフローチャートである。
【図７】本発明の第４の実施形態に係るeMBMSブロードキャスト方法のフローチャートである。
【図８】本発明の第５の実施形態に係るeMBMSブロードキャスト方法のフローチャートである。
【発明を実施するための形態】
【００４４】
以下、本発明の実施形態において添付図面を参照しながら、本発明の実施形態における技術的解決策を明確且つ完全に説明する。明らかながら、説明される実施形態は本発明の実施形態の一部に過ぎず、全部ではない。当業者が本発明の実施形態に基づいて創意工夫なく得た他の実施形態は、全て本発明の保護範囲に包含されるものとする。
【００４５】
図２を参照する。図２は、本発明の第１の実施形態に係る通信システムの構造図である。本実施形態に開示される通信システム20は、第１のeMBMS処理ネットワーク要素201、第２のeMBMS処理ネットワーク要素202及びアプリケーションサーバ203を備える。
【００４６】
本実施形態では、第１のeMBMS処理ネットワーク要素201は、第１のプロセッサ211、第１のトランシーバ221及び第１のメモリ231を備える。第２のeMBMS処理ネットワーク要素202は、第２のプロセッサ212、第２のトランシーバ222及び第２のメモリ232を備える。第２のメモリ232は、マルチメディアブロードキャスト／マルチキャストサービスサービスエリア（Service  Area，サービスエリア）（MBMS  SA）構成情報テーブルを記憶するように構成される。第１のトランシーバ221は、アプリケーションサーバ203からeMBMSベアラ申請要求を取得する。第１のメモリ231は、eMBMSベアラ申請要求を記憶するように構成される。eMBMSベアラ申請要求はブロードキャストエリアを含む。ブロードキャストエリアは、好ましくは、セル（cell）情報、経緯度情報、地理的位置情報又はショッピングモール位置情報である。第１のトランシーバ221は、eMBMSベアラ申請要求のブロードキャストエリアを第２のトランシーバ222に送信する。第２のプロセッサ212は、ブロードキャストエリアを第２のトランシーバ222から取得し、ブロードキャストエリアに従ってMBMS  SA構成情報テーブルにクエリを行って、MBMS  SA構成情報を取得する。第２のトランシーバ222は、MBMS  SA構成情報を第１のトランシーバ221に送信する。MBMS  SA構成情報は、MBMS  SA構成情報テーブルのSAI（Service  Area  ID、サービスエリア識別子）情報及び制御プレーンネットワーク要素List情報を含む。制御プレーンネットワーク要素List情報は、MME  List情報又はSGSN  List情報を含む。第１のプロセッサ211は、MBMS  SA構成情報を第１のトランシーバ221から取得し、MBMS  SA構成情報に従って、ブロードキャストエリアのeMBMSセッションリソースを確立する。すなわち、MBMS  SA構成情報は、ブロードキャストエリアのeMBMSセッションリソースの確立に用いられる。
【００４７】
第１のプロセッサ211がMBMS  SA構成情報に従ってブロードキャストエリアのeMBMSセッションリソースを確立することは、第１の処理ユニット211が、MBMS  SA構成情報に従ってセッション開始手順を開始することであって、第１の処理ユニット211によって開始されるセッション開始手順は、MBMS  SA構成情報のSAI情報及び制御プレーンネットワーク要素List情報を含むことと、セッション開始手順に従って、ブロードキャストエリアのeMBMSセッションリソースを確立することと、を含む。
【００４８】
本実施形態では、第２のメモリ232はCell情報テーブルを記憶する。Cell情報テーブルは、Cell  ID情報と、対応するMCE情報と、対応する制御プレーンネットワーク要素List情報とを含む。第２のプロセッサ212がブロードキャストエリアに従ってMBMS  SA構成情報を取得することは、具体的には以下を含む。第２のメモリ232が、アドレス位置情報テーブルを記憶する。アドレス位置情報テーブルは、Cell  ID情報と、Cell  ID情報に対応する経緯度情報、地理的位置情報又はショッピングモール位置情報とを含む。第２のプロセッサ212は、ブロードキャストエリアの経緯度情報、地理的位置情報又はショッピングモール位置情報に従ってアドレス位置情報テーブルにクエリを行って、ブロードキャストエリアに対応するCell  List情報を取得する。このように、第２のプロセッサ212は、ブロードキャストエリアをCell  List情報に変換する。Cell  List情報は、１以上のCell  IDについての情報を含む。MBMS  SA構成情報テーブルは、SAI情報と、SAI情報に対応するCell  List情報とを含む。第２のプロセッサ212は、Cell  List情報に従ってMBMS  SA構成情報テーブルにクエリを行って、Cell  List情報に対応するMBMS  SA構成情報テーブルがあるか否かを決定する。Cell  List情報に対応するMBMS  SA構成情報テーブルがある場合、すなわち、第２のプロセッサ212がクエリにより、Cell  List情報に従ってMBMS  SA構成情報テーブルを取得することができる場合、MBMS  SA構成情報テーブルはCell  List情報に対応する。MBMS  SA構成情報テーブルは、SAI情報と、制御プレーンネットワーク要素List情報とMCE  ListとMBSFN  Area識別子とCell  Listとのうち少なくとも１つのタイプの情報とを含む。第２のプロセッサ212は、MBMS  SA構成情報テーブルからMBMS  SA構成情報を取得する。Cell  List情報に対応するMBMS  SA構成情報テーブルがない場合、すなわち、第２のプロセッサ212がクエリにより、Cell  List情報に従ってMBMS  SA構成情報テーブルを取得することができない場合、第２のプロセッサ212は、Cell  List情報に従ってCell情報テーブルにクエリを行って、Cell  List情報に対応する制御プレーンネットワーク要素情報とMCE  List情報とのうち少なくとも１つのタイプの情報を取得する。第２のプロセッサ212はMBMS  SA構成情報テーブルを動的に生成する。MBMS  SA構成情報テーブルは、生成されたSAI情報と、クエリから取得された制御プレーンネットワーク要素List情報とMCE  ListとCell  Listとのうち少なくとも１つのタイプの情報とを含む。第２のプロセッサ212は、MBMS  SA構成情報テーブルからMBMS  SA構成情報を取得する。MME  List情報は、１以上のMME  IPアドレス又はMME識別子についての情報を含み、SGSN  List情報は、１以上のSGSN  IPアドレス又はSGSN識別子についての情報を含み、MCE  List情報は、１以上のMCE  IPアドレス又はMCE識別子についての情報を含む。
【００４９】
第１のプロセッサ211が第１のトランシーバ221からMBMS  SA構成情報を取得した後、第１のプロセッサ211は、MBMS  SA構成情報に従って、第１のメモリ231に記憶される第１のMBMS  SA情報テーブルを構成する。第１のMBMS  SA情報テーブルは、SAI情報、制御プレーンネットワーク要素List情報（MME  List情報又はSGSN  List情報）を含む。
【００５０】
第１のeMBMS処理ネットワーク要素201は好ましくはBM-SCであり、第２のeMBMS処理ネットワーク要素202は好ましくは構成サービスセンターである。構成サービスセンターは、構成サーバ又はオペレーション・サポート・システム（Operations  Support  System，OSS）である。
【００５１】
本実施形態に開示される通信システム20では、第２のプロセッサ212が、ブロードキャストエリアに従ってMBMS  SA構成情報を取得し、第１のプロセッサ211が、第１のトランシーバ221を用いてMBMS  SA構成情報を取得し、MBMS  SA構成情報に従ってブロードキャストエリアのeMBMSセッションリソースを確立する。これにより、eMBMSブロードキャスト機構の下ではブロードキャストエリアを動的に生成することができないという問題を解決することができる。更に、eMBMS付加価値サービスの収益化処理を実現し、モバイルネットワークオペレータの収益を増加させるために、モバイルネットワークオペレータは、eMBMSブロードキャスト機能を第三者に開放することができる。
【００５２】
本発明は更に、第２の実施形態の通信システムを提供する。本通信システムは、第１の実施形態に開示された通信システム20に基づいて説明される。図３に示されるように、本実施形態で開示される通信システムは更に、オープンプラットフォーム204、MBMS  GW205、制御プレーンネットワーク要素206、MCE207及び基地局208を備える。
【００５３】
本実施形態では、第１のトランシーバ221は、アプリケーションサーバ203から、オープンプラットフォーム204を用いて、eMBMSベアラ申請要求を取得する。第１のトランシーバ221がアプリケーションサーバ203からオープンプラットフォーム204を用いてeMBMSベアラ申請要求を取得する前に、以下が含まれる。オープンプラットフォーム204が、アプリケーションサーバ203からeMBMSベアラ機能クエリを取得する。eMBMSベアラ機能クエリは、ブロードキャストエリアと、eMBMSベアラのサービス品質（QoS）情報、すなわち、アプリケーションサーバ203の要求において申請されたeMBMSベアラによって必要とされるサービス品質とを含む。オープンプラットフォーム204は、MCEクエリ要求を第２のeMBMS処理ネットワーク要素202に送信する。MCEクエリ要求はブロードキャストエリアを含む。第２のプロセッサ212は、MCEクエリ要求に含まれるブロードキャストエリアに従ってMCEクエリ応答を生成する。MCEクエリ応答はMCE情報を含む。すなわち、第２のプロセッサ212は、第２のメモリ232に記憶されブロードキャストエリアに対応するMCE情報にクエリを行う。MCE情報は、好ましくは、MCE  IPアドレス情報又はMCE識別子情報である。オープンプラットフォーム204は、第２のトランシーバ222からMCEクエリ応答を取得し、MCE情報に対応するMCE207にeMBMSベアラ機能クエリ要求を送信する。eMBMSベアラ機能クエリ要求は、eMBMSベアラのサービス品質（QoS）情報を含む。MCE207は、eMBMSベアラ機能クエリ要求に従ってeMBMSベアラ機能クエリ応答を生成する。eMBMSベアラ機能クエリ応答は、アクセスネットワークがeMBMSベアラによって要求されたQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。オープンプラットフォーム204は、MCE207からeMBMSベアラ機能クエリ応答を取得し、eMBMSベアラ機能クエリ応答をアプリケーションサーバ203に送信する。eMBMSベアラ機能クエリ応答が成功情報を含む場合、アプリケーションサーバ203は、eMBMSベアラ申請要求を、オープンプラットフォーム204を用いて、第１のeMBMS処理ネットワーク要素201に送信する。eMBMSベアラ機能クエリ応答が失敗情報を含む場合、プロセスは終了し、アプリケーションサーバ203はeMBMSベアラ申請要求を送信しない。
【００５４】
第２のトランシーバ222がMBMS  SA構成情報を第１のトランシーバ221に送信した後、第２のプロセッサ212はMCE構成情報を取得し、第２のトランシーバ222は、MCE構成情報を制御プレーンネットワーク要素206に送信する。MCE構成情報は、サービスエリア識別子（SAI）情報及びMCE  List情報を含む。第２のプロセッサ212がMCE構成情報を取得する方式は、以下のとおりである。第２のプロセッサ212は、MBMS  SA構成情報テーブルからMCE構成情報を取得するか、又は、第２のプロセッサ212は、ブロードキャストエリアに従ってMCE構成情報を生成する。MCE構成情報を受信した後、制御プレーンネットワーク要素206はMCE情報テーブルを生成する。MCE情報テーブルは、SAI情報及びMCE  List情報を含む。
【００５５】
代替として、第２のプロセッサ212は、MBSFN  Area構成情報を取得する。第２のトランシーバ222は、MBSFN  Area構成情報をMCE207に送信する。MBSFN  Area構成情報は、SAI情報、MBSFN  Area  ID（識別子）及びCell  Listを含む。第２のプロセッサ212がMBSFN  Area構成情報を取得する方式は、以下のとおりである。第２のプロセッサ212は、MBMS  SA構成情報テーブルからMBSFN  Area構成情報を取得するか、又は、第２のプロセッサ212は、ブロードキャストエリアに従ってMBSFN  Area構成情報を生成する。MBSFN  Area構成情報を受信した後、MCE207は、MBSFN  Area情報テーブルを生成する。MBSFN  Area情報テーブルは、SAI情報、MBSFN  Area  ID及びCell  List情報を含む。MBSFN  Area  IDは、第２のeMBMS処理ネットワーク要素202ではなくMCE207自体によって生成されてもよい。このケースでは、第２のトランシーバ222からMCE207に送信されるMBSFN  Area構成情報は、SAI情報及びCell  List情報のみを含む。MBSFN  Area構成情報を受信した後、MCE207は、SAI情報に従ってMBSFN  Area  IDを生成し、MBSFN  Area情報テーブルを生成する。
【００５６】
代替として、第２のプロセッサ212は、Cell構成情報を取得する。第２のトランシーバ222は、Cell構成情報を基地局208に送信する。Cell構成情報は、Cell  ID及びSAI情報を含む。第２のプロセッサ212がCell構成情報を取得する方式は、以下のとおりである。第２のプロセッサ212は、MBMS  SA構成情報テーブルからCell構成情報を取得するか、又は、第２のプロセッサ212は、ブロードキャストエリアに従ってCell構成情報を生成する。Cell構成情報を受信した後、基地局208は、Cellブロードキャスト情報テーブルを生成する。Cellブロードキャスト情報テーブルは、Cell  ID及びSAI情報を含む。
【００５７】
好ましくは、制御プレーンネットワーク要素206は、モビリティ管理エンティティ（MME）又はサービング汎用パケット無線サービスサポートノード（SGSN）である。
【００５８】
本発明は更に、第３の実施形態の通信システムを提供する。本実施形態で開示される通信システムと第２の実施形態で開示される通信システムとの相違は、以下のとおりである。第１のトランシーバ221がアプリケーションサーバ203からeMBMSベアラ申請要求を取得する前、又は、第１のトランシーバ221がアプリケーションサーバ203からオープンプラットフォーム204を用いてeMBMSベアラ申請要求を取得する前、第１のトランシーバ221は、アプリケーションサーバ203からeMBMSベアラ機能クエリを取得するか、又は、第１のトランシーバ221は、アプリケーションサーバ203から、オープンプラットフォーム204を用いて、eMBMSベアラ機能クエリを取得する。eMBMSベアラ機能クエリは、ブロードキャストエリアと、eMBMSベアラのサービス品質（QoS）情報とを含む。第１のプロセッサ211は、eMBMSベアラ機能クエリのブロードキャストエリアに従って、MCE情報を取得する。すなわち、第１のトランシーバ221は、第２のeMBMS処理ネットワーク要素202にMCEクエリ要求を送信し（MCEクエリ要求はブロードキャストエリアを含む）、第２のeMBMS処理ネットワーク要素202からMCEクエリ応答を取得する。第１のプロセッサ211は、ブロードキャストエリアに従って、MCEクエリ応答からMCE情報を取得する。第１のトランシーバ221は、MCE情報に対応するMCE207にeMBMSベアラ機能クエリ要求を送信し（eMBMSベアラ機能クエリ要求は、eMBMSベアラのサービス品質（QoS）情報を含む）、MCE207からeMBMSベアラ機能クエリ応答を取得する。応答は、アクセスネットワークがeMBMSベアラによって必要とされるQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。第１のトランシーバ221は、eMBMSベアラ機能クエリ応答をアプリケーションサーバ203に送信するか、又は、第１のトランシーバ221は、eMBMSベアラ機能クエリ応答を、オープンプラットフォーム204を用いて、アプリケーションサーバ203に送信する。eMBMSベアラ機能クエリ応答が成功情報を含む場合、アプリケーションサーバ203は、eMBMSベアラ申請要求を、オープンプラットフォーム204を用いて、第１のeMBMS処理ネットワーク要素201に送信する。eMBMSベアラ機能クエリ応答が失敗情報を含む場合、フローが終了し、アプリケーションサーバ203はeMBMSベアラ申請要求を送信しない。
【００５９】
本発明は更に、第４の実施形態の通信システムを提供する。本実施形態で開示される通信システムと第２の実施形態で開示される通信システムとの相違は、以下のとおりである。オープンプラットフォーム204は、アプリケーションサーバ203からeMBMSベアラ申請要求を取得し、eMBMSベアラ申請要求のブロードキャストエリアに従ってMCEクエリ要求を生成する。MCEクエリ要求は、eMBMSベアラ申請要求に含まれるブロードキャストエリアを含む。オープンプラットフォーム204は、第２のeMBMS処理ネットワーク要素202にMCEクエリ要求を送信する。MCEクエリ要求はブロードキャストエリアを含む。第２のプロセッサ212は、MCEクエリ要求に含まれるブロードキャストエリアに従ってMCEクエリ応答を生成する。MCEクエリ応答はMCE情報を含む。すなわち、第２のプロセッサ212は、第２のメモリ232に記憶されブロードキャストエリアに対応するMCE情報にクエリを行う。MCE情報は、好ましくは、MCE  IPアドレス情報又はMCE識別子情報である。オープンプラットフォーム204は、第２のトランシーバ222からMCEクエリ応答を取得し（クエリ応答は、ブロードキャストエリアに対応するMCE情報を含む）、MCE情報に対応するMCE207にeMBMSベアラ機能クエリ要求を送信する。eMBMSベアラ機能クエリ要求は、eMBMSベアラのサービス品質（QoS）情報を含む。MCE207は、eMBMSベアラ機能クエリ要求に従ってeMBMSベアラ機能クエリ応答を生成する。クエリ応答は、アクセスネットワークがeMBMSベアラによって必要とされるQoSを割り当てることができるか否かをMCE207が決定した結果を含む。オープンプラットフォーム204は、MCE207からeMBMSベアラ機能クエリ応答を取得する。eMBMSベアラ機能クエリ応答が成功情報を含む場合、オープンプラットフォーム204は、eMBMSベアラ申請要求を第１のeMBMS処理ネットワーク要素201に送信する。eMBMSベアラ機能クエリ応答が失敗情報を含む場合、オープンプラットフォーム204は、eMBMSベアラ申請失敗情報をアプリケーションサーバ203に送信し、フロー処理は終了する。
【００６０】
本発明は更に、第５の実施形態の通信システムを提供する。本実施形態で開示される通信システムと第２の実施形態で開示される通信システムとの相違は、以下のとおりである。第１のトランシーバ221がアプリケーションサーバ203からeMBMSベアラ申請要求を取得した後、又は、第１のトランシーバ221がアプリケーションサーバ203からオープンプラットフォーム204を用いてeMBMSベアラ申請要求を取得した後、以下が含まれる。第１のプロセッサ211は、ブロードキャストエリアに従ってMCE情報を取得する。すなわち、第１のプロセッサ211は、eMBMSベアラ申請要求に含まれるブロードキャストエリアに従って、MCEクエリ要求を生成し（MCEクエリ要求は、eMBMSベアラ申請要求に含まれるブロードキャストエリアを含む）、第１のトランシーバ221を用いて、第２のeMBMS処理ネットワーク要素202にMCEクエリ要求を送信する。MCEクエリ要求はブロードキャストエリアを含み、それにより第２のプロセッサ212は、MCEクエリ要求に含まれるブロードキャストエリアに従ってMCEクエリ応答を生成することができる。MCEクエリ応答はMCE情報を含む。すなわち、第２のプロセッサ212は、第２のメモリ232に記憶されブロードキャストエリアに対応するMCE情報にクエリを行う。MCE情報は、好ましくは、MCE  IPアドレス情報又はMCE識別子情報である。第１のトランシーバ221は、第２のトランシーバ222からMCEクエリ応答を取得する。第１のプロセッサ211は、MCEクエリ応答に従ってMCE情報を取得する。第１のトランシーバ221は、MCE情報に対応するMCE207にeMBMSベアラ機能クエリ要求を送信する。eMBMSベアラ機能クエリ要求は、eMBMSベアラのサービス品質（QoS）情報を含む。MCE207は、eMBMSベアラ機能クエリ要求に従ってeMBMSベアラ機能クエリ応答を生成する。第１のトランシーバ221は、MCE207からeMBMSベアラ機能クエリ応答を取得する。eMBMSベアラ機能クエリ応答は、アクセスネットワークがeMBMSベアラによって必要とされるQoSを割り当てることができるか否かをMCE207が決定した結果を含む。eMBMSベアラ機能クエリ応答が成功情報を含む場合、第１のトランシーバ221は、第２のeMBMS処理ネットワーク要素202にブロードキャストエリアを送信する。eMBMSベアラ機能クエリ応答が失敗情報を含む場合、第１のトランシーバ221は、アプリケーションサーバ203にeMBMSベアラ申請失敗情報を送信するか、又は、第１のトランシーバ221は、オープンプラットフォーム204を用いて、アプリケーションサーバ203にeMBMSベアラ申請失敗情報を送信し、フロー処理は終了する。
【００６１】
本発明は更に、第１の実施形態のeMBMSブロードキャスト方法を提供する。本eMBMSブロードキャスト方法は、第１の実施形態に開示された通信システム20に基づいて説明される。図４に示されるように、本実施形態に開示されるeMBMSブロードキャスト方法は、以下のステップを含む。
【００６２】
S401．第１のeMBMS処理ネットワーク要素201が、アプリケーションサーバ203からeMBMSベアラ申請要求を取得する。eMBMSベアラ申請要求はブロードキャストエリアを含む。
【００６３】
S402．第２のeMBMS処理ネットワーク要素202が、第１のeMBMS処理ネットワーク要素201からブロードキャストエリアを取得し、ブロードキャストエリアに従ってMBMS  SA構成情報を取得する。
【００６４】
S403．第１のeMBMS処理ネットワーク要素201が、第２のeMBMS処理ネットワーク要素202からMBMS  SA構成情報を取得し、MBMS  SA構成情報に従って、ブロードキャストエリアのeMBMSセッションリソースを確立する。
【００６５】
S401において、ブロードキャストエリアは、好ましくは、Cell情報、経緯度情報、地理的位置情報又はショッピングモール位置情報である。
【００６６】
S402において、第２のeMBMS処理ネットワーク要素202は、Cell情報テーブルを記憶する。Cell情報テーブルは、Cell  ID情報と、対応するMCE情報と、対応する制御プレーンネットワーク要素List情報とを含み、制御プレーンネットワーク要素List情報はMME情報又はSGSN情報を含む。第２のeMBMS処理ネットワーク要素202がブロードキャストエリアに従ってMBMS  SA構成情報を取得することは、具体的には以下を含む。第２のeMBMS処理ネットワーク要素202は、アドレス位置情報テーブルを構成する。アドレス位置情報テーブルは、Cell  ID情報、Cell  ID情報に対応する経緯度情報、地理的位置情報又はショッピングモール位置情報を含む。第２のeMBMS処理ネットワーク要素202は、ブロードキャストエリアの経緯度情報、地理的位置情報又はショッピングモール位置情報に従って、アドレス位置情報テーブルにクエリを行って、ブロードキャストエリアに対応するCell  List情報を取得する。このように、第２のeMBMS処理ネットワーク要素202は、ブロードキャストエリアをCell  List情報に変換する。Cell  List情報は、１以上のCell  IDについての情報を含む。第２のeMBMS処理ネットワーク要素202は、MBMS  SA構成情報テーブルを構成する。MBMS  SA構成情報テーブルは、SAI情報と、SAI情報に対応するCell  List情報とを含む。第２のeMBMS処理ネットワーク要素202は、Cell  List情報に従ってMBMS  SA構成情報テーブルにクエリを行って、Cell  List情報に対応するMBMS  SA構成情報テーブルがあるか否かを決定する。Cell  List情報に対応するMBMS  SA構成情報テーブルがある場合、すなわち、第２のeMBMS処理ネットワーク要素202は、クエリによりMBMS  SA構成情報テーブルを取得し、MBMS  SA構成情報テーブルはCell  List情報に対応する。MBMS  SA構成情報テーブルは、SAI情報と、制御プレーンネットワーク要素List情報とMCE  ListとMBSFN  Area識別子とCell  Listとのうち少なくとも１つのタイプの情報とを含む。Cell  List情報に対応するMBMS  SA構成情報テーブルがない場合、すなわち、第２のeMBMS処理ネットワーク要素202がクエリによりMBMS  SA構成情報テーブルを取得できない場合、第２のeMBMS処理ネットワーク要素202は、Cell  List情報に従ってCell情報テーブルにクエリを行って、Cell  List情報に対応する制御プレーンネットワーク要素情報とMCE  List情報とのうち少なくとも１つのタイプの情報を取得する。第２のeMBMS処理ネットワーク要素202は、MBMS  SA構成情報テーブルを動的に生成する。MBMS  SA構成情報テーブルは、生成されたSAI情報と、クエリから取得された制御プレーンネットワーク要素List情報とMCE  ListとCell  Listとのうち少なくとも１つのタイプの情報とを含む。第２のeMBMS処理ネットワーク要素202  MBMS  SA構成情報テーブルからMBMS  SA構成情報を取得する。MME  List情報は、１以上のMME  IPアドレス又はMME識別子についての情報を含み、SGSN  List情報は、１以上のSGSN  IPアドレス又はSGSN識別子についての情報を含み、MCE  List情報は、１以上のMCE  IPアドレス又はMCE識別子についての情報を含む。
【００６７】
S403において、第１のeMBMS処理ネットワーク要素201がMBMS  SA構成情報を取得した後（MBMS  SA構成情報は、MBMS  SA構成情報テーブルのSAI情報及び制御プレーンネットワーク要素List情報を含む）、第１のeMBMS処理ネットワーク要素201は、MBMS  SA構成情報に従って第１のMBMS  SA情報テーブルを生成する。第１のMBMS  SA情報テーブルは、SAI情報及び制御プレーンネットワーク要素List情報を含む。第１のeMBMS処理ネットワーク要素201は、MBMS  SA構成情報に従ってセッション開始手順を開始し、セッション開始手順に従って、ブロードキャストエリアのeMBMSセッションリソースを確立する。
【００６８】
好ましくは、第１のeMBMS処理ネットワーク要素201は好ましくはBM-SCであり、第２のeMBMS処理ネットワーク要素202は好ましくは構成サービスセンターである。構成サービスセンターは構成サーバ又はOSSである。
【００６９】
本実施形態に開示されるeMBMSブロードキャスト方法は、eMBMSブロードキャスト機構の下ではブロードキャストエリアを動的に生成することができないという問題を解決することができる。更に、eMBMS付加価値サービスの収益化処理を実現し、モバイルネットワークオペレータの収益を増加させるために、モバイルネットワークオペレータは、eMBMSブロードキャスト機能を第三者に開放することができる。
【００７０】
本発明は更に、第２の実施形態のeMBMSブロードキャスト方法を提供する。本eMBMSブロードキャスト方法は、第２の実施形態で開示される通信システムに基づいて説明される。図５に示されるように、本実施形態に開示されるeMBMSブロードキャスト方法は、以下のステップを含む。
【００７１】
S501．オープンプラットフォーム204が、アプリケーションサーバ203からeMBMSベアラ機能クエリを取得する。eMBMSベアラ機能クエリは、ブロードキャストエリアと、eMBMSベアラのサービス品質（QoS）情報とを含む。
【００７２】
S502．オープンプラットフォーム204が、第２のeMBMS処理ネットワーク要素202にMCEクエリ要求を送信する。MCEクエリ要求は、受信されたeMBMSベアラ機能クエリに含まれるブロードキャストエリアを含む。
【００７３】
S503．第２のeMBMS処理ネットワーク要素202が、MCEクエリ要求に含まれるブロードキャストエリアに従ってMCEクエリ応答を生成し、オープンプラットフォーム204にMCEクエリ応答を送信する。MCEクエリ応答はMCE情報を含む。MCE情報は、好ましくは、MCE  IPアドレス情報又はMCE識別子情報である。第２のeMBMS処理ネットワーク要素202は、MCE情報テーブルを構成する。MCE情報テーブルは、MCE情報と、MCE情報に対応するブロードキャストエリアとを含む。第２のeMBMS処理ネットワーク要素202は、MCEクエリ要求に含まれるブロードキャストエリアに従ってMCE情報テーブルにクエリを行って、MCE情報を取得し、ブロードキャストエリアに従ってMCEクエリ応答を生成する。
【００７４】
S504．オープンプラットフォーム204が、MCE情報に対応するMCE207にeMBMSベアラ機能クエリ要求を送信する。eMBMSベアラ機能クエリ要求は、eMBMSベアラのサービス品質（QoS）を含む。
【００７５】
S505．MCE207は、eMBMSベアラ機能クエリ要求に従ってeMBMSベアラ機能クエリ応答を生成し、eMBMSベアラ機能クエリ応答をオープンプラットフォーム204に送信する。eMBMSベアラ機能クエリ応答は、アクセスネットワークがeMBMSベアラによって必要とされるQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。
【００７６】
S506．オープンプラットフォーム204が、eMBMSベアラ機能クエリ応答をアプリケーションサーバ203に送信する。
【００７７】
S507．eMBMSベアラ機能クエリ応答が成功情報を含む場合、アプリケーションサーバ203が、オープンプラットフォーム204を用いて、第１のeMBMS処理ネットワーク要素201にeMBMSベアラ申請要求を送信する。eMBMSベアラ申請要求はブロードキャストエリアを搬送する。
【００７８】
S508．第２のeMBMS処理ネットワーク要素202が、第１のeMBMS処理ネットワーク要素201からブロードキャストエリアを取得し、ブロードキャストエリアに従ってMBMS  SA構成情報を取得する。詳細な処理については、図４のS402の上述の詳細な説明を参照されたい。ここでは詳細の説明を省略する。
【００７９】
S509．第１のeMBMS処理ネットワーク要素201が、第２のeMBMS処理ネットワーク要素202からMBMS  SA構成情報（MBMS  SA構成情報はSAI情報及び制御プレーンネットワーク要素List情報を含む）を取得する。第１のeMBMS処理ネットワーク要素201は、MBMS  SA構成情報に従って、第１のMBMS  SA構成情報テーブルを動的に構成する（第１のMBMS  SA構成情報テーブルは、SAI情報及び制御プレーンネットワーク要素List情報を含む）。第１のeMBMS処理ネットワーク要素201は、MBMS  SA構成情報に従って、ブロードキャストエリアのeMBMSセッションリソースを確立する。
【００８０】
S510．第２のeMBMS処理ネットワーク要素202が、MCE構成情報（MCE構成情報は、SAI情報及びMCE  List情報を含む）を取得し、MCE構成情報を制御プレーンネットワーク要素206に送信する。
【００８１】
続いて、MCE構成情報を受信した後、制御プレーンネットワーク要素206は、MCE情報テーブルを生成する。MCE情報テーブルは、SAI情報及びMCE  List情報を含む。
【００８２】
S511．第２のeMBMS処理ネットワーク要素202が、MBSFN  Area構成情報を取得し（MBSFエリア構成情報は、SAI情報、MBSFN  Area  ID及びCell  List情報を含む）、MBSFN  Area構成情報をMCE207に送信する。
【００８３】
続いて、MBSFN  Area構成情報を受信した後、MCE207はMBSFN  Area情報テーブルを生成する。MBSFN  Area情報テーブルは、SAI情報、MBSFN  Area  ID及びCell  List情報を含む。MBSFN  Area  IDは、MCE207自体によって生成されてよい。このケースでは、第２のeMBMS処理ネットワーク要素202によって取得されるMBSFN  Area構成情報は、SAI情報及びCell  List情報のみを含む。
【００８４】
S512．第２のeMBMS処理ネットワーク要素202が、Cell構成情報を取得し、Cell構成情報を基地局208に送信する。
【００８５】
続いて、Cell構成情報を受信した後、基地局208は、Cellブロードキャスト情報テーブルを生成する。Cellブロードキャスト情報テーブルは、Cell  ID及びSAI情報を含む。
【００８６】
留意すべきこととして、ステップ509〜ステップ512の順序関係はない。
【００８７】
S513．第１のeMBMS処理ネットワーク要素201が、eMBMSベアラ申請応答をオープンプラットフォーム204に送信し、オープンプラットフォーム204が、eMBMSベアラ申請応答をアプリケーションサーバ203に転送する。
【００８８】
S514．第１のeMBMS処理ネットワーク要素201が、アプリケーションサーバ203によって要求されたeMBMSベアラにポイントツーマルチポイントタイプのTMGIを割り当て、MBMS  GW205にセッション要求を送信する。セッション要求は、TMGI情報、SAI情報及び制御プレーンネットワーク要素List情報を含む。第１のeMBMS処理ネットワーク要素201は、第１のMBMS  SA構成情報テーブルから制御プレーンネットワーク要素List情報を取得する。
【００８９】
S515．MBMS  GW205が、セッション要求に従って１つのIPマルチキャストアドレスを割り当て、セッション要求を制御プレーンネットワーク要素206に送信する。セッション要求は、IPマルチキャストアドレス情報及びSAI情報を含む。MBMS  GW205は、セッション要求から制御プレーンネットワーク要素List情報を取得し、制御プレーンネットワーク要素List情報に対応する制御プレーンネットワーク要素206にセッション要求を送信する。
【００９０】
S516．制御プレーンネットワーク要素206が、セッション要求に従ってMCE情報テーブルにクエリを行い、セッション要求をMCE207に送信する。セッション要求はSAI情報を含む。制御プレーンネットワーク要素206が、セッション要求からSAI情報を取得し、SAI情報に従ってMCE情報テーブルにクエリを行って、MCE情報テーブルからMCE  List情報を取得する。制御プレーンネットワーク要素206は、MCE  List情報に対応するMCE207にセッション要求を送信する。
【００９１】
S517．MCE207が、セッション要求を基地局208に送信する。セッション要求はSAI情報を含む。MCE207は、セッション要求からSAI情報を取得し、SAI情報に従ってMBSFN  Area情報テーブルにクエリを行って、MBSFN  Area情報テーブルからCell  List情報を取得する。MCE207は、Cell  List情報に対応する基地局208にセッション要求を送信する。
【００９２】
S518．基地局208が、eMBMSセッションについてブロードキャストリソースを確立し、IPマルチキャストアドレスに従ってブロードキャストグループに参加する。基地局208は、セッション要求からSAI情報を取得し、SAI情報に従ってCellブロードキャスト情報テーブルにクエリを行って、Cellブロードキャスト情報テーブルからCell  ID情報を取得する。基地局は、Cell  IDに対応するセル内のeMBMSセッションについて、ブロードキャストリソースを確立する。
【００９３】
S519．基地局208が、MCE207にセッション応答を送信する。
【００９４】
S520．MCE207が、セッション応答を制御プレーンネットワーク要素206に送信する。
【００９５】
S521．制御プレーンネットワーク要素206が、セッション応答をMBMS  GW205に送信する。
【００９６】
S522．MBMS  GW205が、セッション応答を第１のeMBMS処理ネットワーク要素201に送信する。
【００９７】
S506において、eMBMSベアラ機能クエリ応答が成功情報を含む場合、S507が実行される。eMBMSベアラ機能クエリ応答が失敗情報を含む場合、後続のフロー処理は終了する。
【００９８】
本発明は更に、第３の実施形態のeMBMSブロードキャスト方法を提供する。本eMBMSブロードキャスト方法は、第３の実施形態で開示される通信システムに基づいて説明される。図６に示されるように、本実施形態に開示されるeMBMS機能を解放する方法は、以下のステップを含む。
【００９９】
S601．第１のeMBMS処理ネットワーク要素201が、アプリケーションサーバ203からeMBMSベアラ機能クエリを取得する。又は、第１のeMBMS処理ネットワーク要素201が、アプリケーションサーバ203から、オープンプラットフォーム204を用いて、eMBMSベアラ機能クエリを取得する。eMBMSベアラ機能クエリは、ブロードキャストエリアと、eMBMSベアラのサービス品質（QoS）情報とを含む。
【０１００】
S602．第１のeMBMS処理ネットワーク要素201が、第２のeMBMS処理ネットワーク要素202にMCEクエリ要求を送信する。MCEクエリ要求は、eMBMSベアラ機能クエリに含まれるブロードキャストエリアを含む。
【０１０１】
S603．第２のeMBMS処理ネットワーク要素202が、MCEクエリ要求に従ってMCEクエリ応答を生成し、MCEクエリ応答を第１のeMBMS処理ネットワーク要素201に送信する。MCEクエリ応答はMCE情報を含む。
【０１０２】
S604．第１のeMBMS処理ネットワーク要素201は、MCE情報に対応するMCE207にeMBMSベアラ機能クエリ要求を送信する。eMBMSベアラ機能クエリ要求は、eMBMSベアラによって必要とされるQoSを含む。
【０１０３】
S605．MCE207は、eMBMSベアラ機能クエリ要求に従ってeMBMSベアラ機能クエリ応答を生成し、eMBMSベアラ機能クエリ応答を第１のeMBMS処理ネットワーク要素201に送信する。eMBMSベアラ機能クエリ応答は、アクセスネットワークがeMBMSベアラによって必要とされるQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。
【０１０４】
S606．第１のeMBMS処理ネットワーク要素201が、eMBMSベアラ機能クエリ応答をアプリケーションサーバ203に送信する。又は、第１のeMBMS処理ネットワーク要素201が、オープンプラットフォーム204を用いて、eMBMSベアラ機能クエリ応答をアプリケーションサーバ203に送信する。
【０１０５】
S607．eMBMSベアラ機能クエリ応答が成功情報を含む場合、第１のeMBMS処理ネットワーク要素201が、アプリケーションサーバ203からeMBMSベアラ申請要求を取得する。又は、第１のeMBMS処理ネットワーク要素201が、アプリケーションサーバ203から、オープンプラットフォーム204を用いて、eMBMSベアラ申請要求を取得する。
【０１０６】
S608〜S612は、S508〜S512と同様である。
【０１０７】
S613．第１のeMBMS処理ネットワーク要素201が、アプリケーションサーバ203にeMBMSベアラ申請応答を送信する。又は、第１のeMBMS処理ネットワーク要素201が、オープンプラットフォーム204を用いて、アプリケーションサーバ203にeMBMSベアラ申請応答を送信する。
【０１０８】
S614〜S622は、S514〜S522と同様である。
【０１０９】
本発明は更に、第４の実施形態のeMBMSブロードキャスト方法を提供する。本eMBMSブロードキャスト方法は、第４の実施形態で開示される通信システムに基づいて説明される。図７に示されるように、本実施形態に開示されるeMBMSブロードキャスト方法は、以下のステップを含む。
【０１１０】
S701．オープンプラットフォーム204が、アプリケーションサーバ203からeMBMSベアラ申請要求を取得する。eMBMSベアラ申請要求は、ブロードキャストエリアと、eMBMSベアラのサービス品質（QoS）情報とを含む。
【０１１１】
S702〜S705は、S502〜S505と同様である。
【０１１２】
S706．eMBMSベアラ機能クエリ応答が失敗情報を含む場合、オープンプラットフォーム204が、eMBMSベアラ申請失敗情報をアプリケーションサーバ203に送信し、フローが終了する。
【０１１３】
S707．eMBMSベアラ機能クエリ応答が成功情報を含む場合、第１のeMBMS処理ネットワーク要素201が、オープンプラットフォーム204からeMBMSベアラ申請要求を取得する。
【０１１４】
S708〜S722は、S508〜S522と同様である。
【０１１５】
本発明は更に、第５の実施形態のeMBMSブロードキャスト方法を提供する。本eMBMSブロードキャスト方法は、第５の実施形態で開示される通信システムに基づいて説明される。図８に示されるように、本実施形態に開示されるeMBMSブロードキャスト方法は、以下のステップを含む。
【０１１６】
S801．第１のeMBMS処理ネットワーク要素201が、アプリケーションサーバ203からeMBMSベアラ申請要求を取得する。又は、第１のeMBMS処理ネットワーク要素201が、アプリケーションサーバ203から、オープンプラットフォーム204を用いて、eMBMSベアラ申請要求を取得する。eMBMSベアラ申請要求は、ブロードキャストエリアと、eMBMSベアラのサービス品質（QoS）情報とを含む。
【０１１７】
S802．第１のeMBMS処理ネットワーク要素201が、第２のeMBMS処理ネットワーク要素202にMCEクエリ要求を送信する。MCEクエリ要求は、eMBMSベアラ申請要求に含まれるブロードキャストエリアを含む。
【０１１８】
S803．第２のeMBMS処理ネットワーク要素202が、MCEクエリ要求に従ってMCEクエリ応答を生成し、第１のeMBMS処理ネットワーク要素201にMCEクエリ応答を送信する。MCEクエリ応答はMCE情報を含む。
【０１１９】
S804．第１のeMBMS処理ネットワーク要素201が、MCE情報に対応するMCE207にeMBMSベアラ機能クエリ要求を送信する。eMBMSベアラ機能クエリ要求は、eMBMSベアラによって必要とされるQoSを含む。
【０１２０】
S805．MCE207が、eMBMSベアラ機能クエリ要求に従ってeMBMSベアラ機能クエリ応答を生成し、eMBMSベアラ機能クエリ応答を第１のeMBMS処理ネットワーク要素201に送信する。eMBMSベアラ機能クエリ応答は、アクセスネットワークがeMBMSベアラによって必要とされるQoSを割り当てることができるか否かをMCE207が決定した結果を含む。アクセスネットワークがeMBMSベアラによって必要とされるQoSを割り当てることができない場合、eMBMSベアラ機能クエリ応答は失敗情報を含む。アクセスネットワークがeMBMSベアラによって必要とされるQoSを割り当てることができる場合、eMBMSベアラ機能クエリ応答は成功情報を含む。
【０１２１】
S806．eMBMSベアラ機能クエリ応答が失敗情報を含む場合、第１のeMBMS処理ネットワーク要素201が、アプリケーションサーバ203にeMBMSベアラ申請失敗情報を送信する。又は、第１のeMBMS処理ネットワーク要素201が、オープンプラットフォーム204を用いて、アプリケーションサーバ203にeMBMSベアラ申請失敗情報を送信する。後続のフロー処理は終了する。
【０１２２】
S807．eMBMSベアラ機能クエリ応答が成功情報を含む場合、第１のeMBMS処理ネットワーク要素201が、ブロードキャストエリアを第２のeMBMS処理ネットワーク要素202に送信する。
【０１２３】
S808〜S821は、S509〜S522と同様である。
【０１２４】
従来技術のケースとは異なり、本発明では、第１のトランシーバは、構成サービスセンターからMBMS  SA構成情報を取得し、第１のプロセッサは、MBMS  SA構成情報に従って、ブロードキャストエリアのeMBMSセッションリソースを確立する。これにより、eMBMSブロードキャスト機構の下ではブロードキャストエリアを動的に生成することができないという問題を解決することができる。更に、eMBMS付加価値サービスの収益化処理を実現し、モバイルネットワークオペレータの収益を増加させるために、モバイルネットワークオペレータは、eMBMSブロードキャスト機能を第三者に開放することができる。
【０１２５】
実施方式の上述の説明から理解することができるように、当業者であれば、実施形態の方法の一部又は全部を、必要な汎用ハードウェアプラットフォームに加えてソフトウェアによって実現することができることを秋からに理解できるであろう。そのような理解に基づき、本発明の技術的解決策は本質的に、或いは従来技術に寄与する部分は、ソフトウェア製品の形態で実現されてよい。ソフトウェア製品は、ROM／RAM、磁気ディスク、光ディスク等の記憶媒体に記憶されてよく、コンピュータ装置（パーソナルコンピュータ、サーバ、又はメディアゲートウェイ等のネットワーク通信装置であってよい）に、本発明の実施形態又は本発明の実施形態の一部に記載された方法を実行するように命令するためのいくつかの命令を含む。
【０１２６】
留意すべきこととして、本明細書の実施形態は全て漸進的に説明され、実施形態における同じ又は類似の部分については、これらの実施形態を参照することができ、各実施形態は、他の実施形態との相違点に着目する。特に、装置及びシステムの実施形態は基本的に方法の実施形態に類似しているので、簡単に説明する。関連する部分については、方法の実施形態における部分的な説明を参照することができる。説明された装置及びシステムの実施形態は例示に過ぎない。別個の部品として説明されたユニットは、物理的に分離していてもいなくてもよく、ユニットとして表示される部品は、物理的ユニットであってもなくてもよく、１つの位置にあってもよいし、複数のネットワークユニットに分散されてもよい。モジュールの一部又は全部は、実施形態の解決策の目的を達成するために、実際の要件に応じて選択せれてよい。当業者は、創意工夫なしに本発明の実施形態を理解し、実現することができるであろう。
【０１２７】
以上の説明は、本発明の好ましい実施方式に過ぎず、本発明の保護範囲を限定するものではない。留意すべきこととして、当業者であれば、本願の原理から逸脱することなく特定の改良及び研磨を行うことができ、そのような改良及び研磨は本願の保護範囲に包含されるものとする。
【国際調査報告】
2017531385.tif 000011
2017531385.tif 000012
2017531385.tif 000013
2017531385.tif 000014